(57)【特許請求の範囲】
【請求項１】
移動局装置と通信を行う基地局装置であって、
前記移動局装置の１つと通信を行うに際し、
前記基地局装置は、同期信号生成部、データ制御部及び送信部を有し、
前記同期信号生成部は、第１セル識別子に対応した同期信号を生成するものであり、
前記データ制御部は、第１の送信信号及び第２の送信信号を生成するものであって、
前記第１の送信信号は、前記同期信号、第１の物理チャネル及び第１の参照信号を含み、前記第１の物理チャネル及び前記第１の参照信号は、前記第１セル識別子に基づいて生成され、
前記第２の送信信号は、第２の物理チャネル及び第２の参照信号を含み、かつ前記第２の物理チャネル及び前記第２の参照信号は、第２セル識別子に基づいて生成され、
前記送信部は、前記第１の送信信号と、前記第２の送信信号を送信し、
前記第１の送信信号は、第１のコンポーネントキャリアで送信され、
前記第２の送信信号は、第２のコンポーネントキャリアで送信され、
前記第２のコンポーネントキャリアは、前記第１のコンポーネントキャリアに対して追加されるコンポーネントキャリアであり、
前記データ制御部は、前記第２セル識別子を示す情報を含む前記第１の送信信号を生成する基地局装置。
【請求項２】
前記第２セル識別子を示す情報は、上位層における制御情報である上位層制御情報に含まれる請求項１に記載の基地局装置。
【請求項３】
前記データ制御部は、前記第１の参照信号と、前記第２の参照信号とをマッピングし、
前記第１の参照信号は、前記第１セル識別子に基づいて得られる位置にマッピングされ、
前記第２の参照信号は、前記第２セル識別子に基づいて得られる位置にマッピングされる、
請求項１に記載の基地局装置。
【請求項４】
前記第１の物理チャネルは、前記第１セル識別子に基づいてスクランブリングされ、
前記第２の物理チャネルは、前記第２セル識別子に基づいてスクランブリングされる請求項１に記載の基地局装置。
【請求項５】
前記第１の物理チャネル及び前記第２の物理チャネルは、物理報知チャネルと物理制御チャネルと物理共用チャネルのいずれか少なくともひとつを含む請求項１に記載の基地局装置。
【請求項６】
基地局装置と通信を行う移動局装置であって、
前記移動局装置は、データ抽出部と受信部とを有し、
前記受信部は、
第１の受信信号を第１のコンポーネントキャリアを介して受信し、第２の受信信号を第２のコンポーネントキャリアを介して受信するものであって、
前記第１の受信信号は、同期信号、第１の物理チャネル及び第１の参照信号を含み、
前記第１の物理チャネル及び前記第１の参照信号は、第１セル識別子に基づいて生成され、
前記第２の受信信号は、第２の物理チャネル及び第２の参照信号を含み、かつ前記第２の物理チャネル及び前記第２の参照信号は、第２セル識別子に基づいて生成され、
前記データ抽出部は、前記第１の受信信号から前記第２セル識別子を示す情報を抽出し、
前記第２のコンポーネントキャリアは、前記第１のコンポーネントキャリアに対して追加されるコンポーネントキャリアである
移動局装置。
【請求項７】
前記第２セル識別子を示す情報は、上位層における制御情報である上位層制御情報に含まれ、
前記上位層制御情報から前記第２セル識別子を示す情報を取得する無線リソース制御部と、
を備える請求項６に記載の移動局装置。
【請求項８】
前記データ抽出部は、
前記第１の物理チャネルを前記第１セル識別子に基づいて抽出し、
前記第２の物理チャネルを前記第２セル識別子に基づいて抽出する
請求項６に記載の移動局装置。
【請求項９】
前記第１の参照信号は、前記第１セル識別子に基づいて得られる位置に基づいてマッピングされており、
前記第２の参照信号は、前記第２セル識別子に基づいて得られる位置に基づいてマッピングされている請求項６に記載の移動局装置。
【請求項１０】
前記第１の参照信号は、前記第１セル識別子から得られる系列に基づいて生成されており、
前記第２の参照信号は、前記第２セル識別子から得られる系列に基づいて生成されている請求項６に記載の移動局装置。
【請求項１１】
前記データ抽出部は、
前記第１の物理チャネルと、前記第２の物理チャネルとをデスクランブリングし、
前記第１の物理チャネルは、前記第１セル識別子を用いてデスクランブリングされ、
前記第２の物理チャネルは、前記第２セル識別子を用いてデスクランブリングされる請
求項６に記載の移動局装置。
【請求項１２】
移動局参照信号生成部と、移動局送信部を有し、
前記移動局参照信号生成部は、前記第１セル識別子に基づいて第３の参照信号を生成するとともに、前記第２セル識別子に基づいて第４の参照信号を生成し、
前記移動局送信部は、前記第３の参照信号を含む信号と、前記第４の参照信号を含む信号を送信するものであって、
前記第３の参照信号を含む信号は、前記第１のコンポーネントキャリアに対応する第３のコンポーネントキャリアを用いて送信され、
前記第４の参照信号を含む信号は、前記第２のコンポーネントキャリアに対応する第４のコンポーネントキャリアを用いて送信される
請求項６に記載の移動局装置。
【請求項１３】
移動局装置と基地局装置が通信を行う無線通信システムにおいて、
前記基地局装置は、同期信号生成部、データ制御部及び送信部を有し、
前記同期信号生成部は、第１セル識別子に対応した同期信号を生成するものであり、
前記データ制御部は、第１の送信信号及び第２の送信信号を生成するものであって、
前記第１の送信信号は、前記同期信号、第１の物理チャネル及び第１の参照信号を含み、前記第１の物理チャネル及び前記第１の参照信号は、前記第１セル識別子に基づいて生成され、
前記第２の送信信号は、第２の物理チャネル及び第２の参照信号を含み、かつ前記第２の物理チャネル及び前記第２の参照信号は、第２セル識別子に基づいて生成され、
前記送信部は、前記第１の送信信号と、前記第２の送信信号を送信し、
前記第１の送信信号は、第１のコンポーネントキャリアを用いて送信され、
前記第２の送信信号は、第２のコンポーネントキャリアを用いて送信され、
前記第２のコンポーネントキャリアは、前記第１のコンポーネントキャリアに対して追加されるコンポーネントキャリアであり、
前記データ制御部は、前記第２セル識別子を示す情報を含む前記第１の送信信号を生成し、
前記移動局装置は、データ抽出部と受信部とを有し、
前記受信部は、
第１の受信信号を前記第１のコンポーネントキャリアを介して受信するものであって、
前記第１の受信信号は、前記同期信号、前記第１の物理チャネル及び前記第１の参照信号を含み
第２の受信信号を前記第２のコンポーネントキャリアを介して受信するものであって、
前記第２の受信信号は、前記第２の物理チャネル及び前記第２の参照信号を含み、
前記データ抽出部は、前記第１の受信信号から前記第２セル識別子を示す情報を抽出する
無線通信システム。
【請求項１４】
移動局装置と通信を行う基地局装置における通信方法であって、
前記移動局装置の１つと通信を行うに際し、
前記基地局装置が、同期信号生成ステップ、第１データ制御ステップ、第１送信ステッ
プ、第２データ制御ステップ及び第２送信ステップを実行し、
前記同期信号生成ステップは、第１セル識別子に対応した同期信号を生成するものであり、
前記第１データ制御ステップは、第１の送信信号を生成するものであって、
前記第１の送信信号は、前記同期信号、第１の物理チャネル及び第１の参照信号を含み、前記第１の物理チャネル及び前記第１の参照信号は、前記第１セル識別子に基づいて生成され、
前記第１送信ステップは、前記第１の送信信号を送信し、
前記第２データ制御ステップは、前記第１の送信信号及び第２の送信信号を生成するものであって、
前記第２の送信信号は、第２の物理チャネル及び第２の参照信号を含み、かつ前記第２の物理チャネル及び前記第２の参照信号は、第２セル識別子に基づいて生成され、
前記第２送信ステップは、前記第１の送信信号と、前記第２の送信信号を送信し、
前記第１の送信信号は、第１のコンポーネントキャリアを用いて送信され、
前記第２の送信信号は、第２のコンポーネントキャリアを用いて送信され、
前記第２のコンポーネントキャリアは、前記第１のコンポーネントキャリアに対して追加されるコンポーネントキャリアであり、
前記第１データ制御ステップは、前記第２セル識別子を示す情報を含む前記第１の送信信号を生成する通信方法。
【請求項１５】
前記基地局装置は、
前記第１データ制御ステップを実行した後、前記第１送信ステップを実行し、
前記第１送信ステップを実行した後、前記第２送信ステップを実行する請求項１４に記載の通信方法。
【請求項１６】
基地局装置と通信を行う移動局装置における通信方法であって、
前記移動局装置は、第１受信ステップ、データ抽出ステップ及び第２受信ステップを実行し、
前記第１受信ステップは、
第１の受信信号を第１のコンポーネントキャリアを介して受信するものであって、
前記第１の受信信号は、同期信号、第１の物理チャネル及び第１の参照信号を含み、
前記第１の物理チャネル及び前記第１の参照信号は、第１セル識別子に基づいて生成され、
前記データ抽出ステップは、前記第１の受信信号から第２セル識別子を示す情報を抽出し、
前記第２受信ステップは、
前記第１の受信信号を前記第１のコンポーネントキャリアを介して受信し、第２の受信信号を第２のコンポーネントキャリアを介して受信するものであって、
前記第２の受信信号は、第２の物理チャネル及び第２の参照信号を含み、かつ前記第２の物理チャネル及び前記第２の参照信号は、前記第２セル識別子に基づいて生成され、
前記第２のコンポーネントキャリアは、前記第１のコンポーネントキャリアに対して追加されるコンポーネントキャリアである
通信方法。
【請求項１７】
前記移動局装置は、
前記第１受信ステップを実行した後、前記データ抽出ステップを実行し
前記データ抽出ステップを実行した後、前記第２受信ステップを実行する請求項１６に記載の通信方法。
【発明の詳細な説明】
【技術分野】
【０００１】
本発明は、基地局装置、移動局装置、通信システム及び通信方法に関する。
本願は、２００８年１２月２６日に、日本に出願された特願２００８−３３１６５２号に基づき優先権を主張し、その内容をここに援用する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ：第３世代パートナーシッププロジェクト）は、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続）とＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）を発展させたネットワークを基本とした携帯電話システムの仕様の検討・作成を行うプロジェクトである。【０００３】
３ＧＰＰでは、Ｗ−ＣＤＭＡ方式が第３世代セルラー移動通信方式として標準化され、順次サービスが開始されている。また、通信速度をさらに上げたＨＳＤＰＡ（Ｈｉｇｈ−Ｓｐｅｅｄ  Ｄｏｗｎｌｉｎｋ  Ｐａｃｋｅｔ  Ａｃｃｅｓｓ）も標準化され、サービスが開始されている。【０００４】
３ＧＰＰでは、第３世代無線アクセス技術の進化であるＥＵＴＲＡ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ）が検討されている。【０００５】
図２０は、ＥＵＴＲＡにおける無線チャネルを示している。基地局装置１００’から移動局装置２００’ａ〜２００’ｃへ信号を送信する下りリンクでは、物理報知チャネルＰＢＣＨ（Ｐｈｙｓｉｃａｌ  Ｂｒｏａｄｃａｓｔ  Ｃｈａｎｎｅｌ）、物理下りリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）、物理下りリンク共用チャネルＰＤＳＣＨ（Ｐｈｙｓｉｃａｌ  Ｄｏｗｎｌｉｎｋ  Ｓｈａｒｅｄ  Ｃｈａｎｎｅｌ）、物理マルチキャストチャネルＰＭＣＨ（Ｐｈｙｓｉｃａｌ  Ｍｕｌｔｉｃａｓｔ  Ｃｈａｎｎｅｌ）、物理制御フォーマット指示チャネルＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、物理ハイブリッド自動再送要求指示チャネルＰＨＩＣＨ（Ｐｈｙｓｉｃａｌ  Ｈｙｂｒｉｄ  ＡＲＱ  Ｉｎｄｉｃａｔｏｒ  Ｃｈａｎｎｅｌ）が用いられる。【０００６】
また、ＥＵＴＲＡにおいて、移動局装置２００’ａ〜２００’ｃから基地局装置１００’へ信号を送信する上りリンクでは、物理上りリンク共用チャネルＰＵＳＣＨ（Ｐｈｙｓｉｃａｌ  Ｕｐｌｉｎｋ  Ｓｈａｒｅｄ  Ｃｈａｎｎｅｌ）、物理上りリンク制御チャネルＰＵＣＣＨ（Ｐｈｙｓｉｃａｌ  Ｕｐｌｉｎｋ  Ｃｏｎｔｒｏｌ  Ｃｈａｎｎｅｌ）、物理ランダムアクセスチャネルＰＲＡＣＨ（Ｐｈｙｓｉｃａｌ  Ｒａｎｄｏｍ  Ａｃｃｅｓｓ  Ｃｈａｎｎｅｌ）が用いられる。【０００７】
図２及び図３は、ＥＵＴＲＡにおけるユーザの割り当て単位である物理リソースブロックＰＲＢ（Ｐｈｙｓｉｃａｌ  Ｒｅｓｏｕｒｃｅ  Ｂｌｏｃｋ）の配置方法を示す図である。図２及び図３において、横軸は時間を示しており、縦軸は周波数を示している。【０００８】
システムフレーム番号ＳＦＮ（Ｓｙｓｔｅｍ  Ｆｒａｍｅ  Ｎｕｍｂｅｒ）で識別される無線フレームは１０ミリ秒（１０ｍｓ）で構成されている。また、１サブフレームは１ミリ秒（１ｍｓ）で構成されており、無線フレームには１０個のサブフレーム＃Ｆ０〜＃Ｆ９が含まれる。【０００９】
図２に示すように、下りリンクで用いる無線フレームには、物理制御フォーマット指示チャネル（ＰＣＦＩＣＨ）Ａ１１、物理ハイブリッド自動再送要求指示チャネル（ＰＨＩＣＨ）Ａ１２、物理下りリンク制御チャネル（ＰＤＣＣＨ）Ａ１３、物理下りリンク同期信号Ａ１４、物理報知チャネル（ＰＢＣＨ）Ａ１５、物理下りリンク共用チャネル（ＰＤＳＣＨ）／物理マルチキャストチャネル（ＰＭＣＨ）Ａ１６、下りリンク参照信号Ａ１７が配置されている。【００１０】
図３に示すように、上りリンクで用いる無線フレームには、物理ランダムアクセスチャネル（ＰＲＡＣＨ）Ａ２１、物理上りリンク制御チャネル（ＰＵＣＣＨ）Ａ２２、物理上りリンク共用チャネル（ＰＵＳＣＨ）Ａ２３、上りリンク復調用参照信号Ａ２４、上りリンク測定用参照信号Ａ２５が配置されている。【００１１】
１サブフレーム（例えば、サブフレーム＃Ｆ０）は、２つのスロット＃Ｓ０、＃Ｓ１に分離される。通常のサイクリックプレフィックス（ｎｏｒｍａｌ  ＣＰ（Ｃｙｃｌｉｃ  Ｐｒｅｆｉｘ））が使用される場合、下りリンクのスロットは７個のＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）シンボルで構成され（図２参照）、上りリンクのスロットは７個のＳＣ−ＦＤＭＡ（Ｓｉｎｇｌｅ  Ｃａｒｒｉｅｒ−Ｆｒｅｑｕｅｎｃｙ  Ｄｉｖｉｓｉｏｎ  Ｍｕｌｔｉｐｌｅ  Ａｃｃｅｓｓ）シンボルで構成される（図３参照）。【００１２】
なお、拡張ＣＰ（ｌｏｎｇ  ＣＰ、または、ｅｘｔｅｎｄｅｄ  ＣＰとも称する）が使用される場合は、下りリンクのスロットは６個のＯＦＤＭシンボルで構成され、上りリンクのスロットは６個のＳＣ−ＦＤＭＡシンボルで構成される。ＥＵＴＲＡにおいて、基本的なセルに関する情報である物理セルＩＤ情報ＰＣＩ（Ｐｈｙｓｉｃａｌ  Ｃｅｌｌ  Ｉｄｅｎｔｉｔｙ）の取得は、同期チャネルを用いたセルサーチにより行われる。【００１３】
図４に、ＥＵＴＲＡにおける同期チャネルＳＣＨの配置を示す。同期チャネルＳＣＨには、１次同期チャネルＰ−ＳＣＨ（Ｐｒｉｍａｒｙ  Ｓｙｎｃｈｒｏｎｉｚａｔｉｏｎ  Ｃｈａｎｎｅｌ）と、２次同期チャネルＳ−ＳＣＨ（Ｓｅｃｏｎｄａｒｙ  Ｓｙｎｃｈｒｏｎｉｚａｔｉｏｎ  Ｃｈａｎｎｅｌ）とがある。ＥＵＴＲＡにおける１次同期チャネルＰ−ＳＣＨ、２次同期チャネルＳ−ＳＣＨのフレーム内の位置について説明する。【００１４】
図４に示すように１次同期チャネルＰ−ＳＣＨは、システム帯域幅の中心の６リソースブロックにおいて、サブフレーム番号＃０及び＃５の先頭スロットの最終ＯＦＤＭシンボルに配置され、スロット同期をとる。次に、２次同期チャネルＳ−ＳＣＨは、１次同期チャネルＰ−ＳＣＨの直前のＯＦＤＭシンボル上に配置され、フレーム同期をとるために用いられる。また、Ｐ−ＳＣＨで用いられる系列とＳ−ＳＣＨで用いられる系列との組合せからＰＣＩを特定する。なお、非特許文献２においては、同期チャネルＳＣＨのことをＳｙｎｃｈｏｎｉｚａｔｉｏｎ  Ｓｉｇｎａｌと記載してあるが、意味は同じである（非特許文献２）。【００１５】
さらに、３ＧＰＰでは、ＥＵＴＲＡへの後方互換性を持ちつつ、より高い伝送速度で通信を行うＡｄｖａｎｃｅｄ−ＥＵＴＲＡが検討されている。Ａｄｖａｎｃｅｄ−ＥＵＴＲＡでは、ＥＵＴＲＡとして通信を行うことができる帯域ＣＣ（Ｃｏｍｐｏｎｅｎｔ  Ｃａｒｒｉｅｒ）を周波数方向に複数個配置し、これらを複合的に用いるアグリゲーションの導入が検討されている。【００１６】
アグリゲーションを行う上での１つの問題として、下り参照信号によるキャリアメトリックの劣化が挙げられる。この問題を解決する方法として、コンポーネントキャリア毎で異なるＰＣＩを用いて通信を行うことが提案されている（非特許文献３）。【００１７】
また、アグリゲーションを行う上での他の課題として、ＥＵＴＲＡの移動局装置に認識されないコンポーネントキャリアの導入方法が挙げられる。この課題に対して、下り同期チャネルを有するコンポーネントキャリアだけでなく、下り同期信号を配置しないコンポーネントキャリアを導入することが提案されている（非特許文献４）。
【先行技術文献】
【非特許文献】
【００１８】
【非特許文献１】３ＧＰＰ  ＴＳ（Ｔｅｃｈｎｉｃａｌ  Ｓｐｅｃｉｆｉｃａｔｉｏｎ）３６．３００、Ｖ８．４．０（２００８−０３）、Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）;Ｏｖｅｒａｌｌ  ｄｅｓｃｒｉｐｔｉｏｎ；Ｓｔａｇｅ  ２（Ｒｅｌｅａｓｅ  ８）
【非特許文献２】３ＧＰＰ  ＴＳ３６．２１１、Ｖ８．４．０
【非特許文献３】３ＧＰＰ  ＴＳＧ  ＲＡＮ  ＷＧ１  ＃５５、  Ｒ１−０８４１９５、  “Ｉｓｓｕｅｓ  ｏｎ  ｔｈｅ  ｐｈｙｓｉｃａｌ  ｃｅｌｌ  ＩＤ  ａｌｌｏｃａｔｉｏｎ  ｔｏ  ｔｈｅ  ａｇｇｒｅｇａｔｅｄ  ｃｏｍｐｏｎｅｎｔ  ｃａｒｒｉｅｒｓ”、  ＬＧＥ
【非特許文献４】３ＧＰＰ  ＴＳＧ  ＲＡＮ  ＷＧ１  Ｍｅｅｔｉｎｇ  ＃５５、  Ｒ１−０８４２２１、  “Ｎｏｎ−ｂａｃｋｗａｒｄ  ｃｏｍｐａｔｉｂｌｅ  ｃｏｍｐｏｎｅｎｔ  ｃａｒｒｉｅｒｓ  ｆｏｒ  ａｓｙｍｍｅｔｒｉｃ  ｃａｒｒｉｅｒ  ａｇｇｒｅｇａｔｉｏｎ”、  Ｐａｎａｓｏｎｉｃ
【発明の概要】
【発明が解決しようとする課題】
【００１９】
しかしながら、従来のシステムにおいて、コンポーネントキャリア毎で異なるＰＣＩを使用するためには、複数回のセルサーチを行う必要があり、効率的ではないという問題があった。また、複数のＰＣＩを使用するためには、複数の下り同期信号を配置する必要があるため、効率的ではないという問題があった。【００２０】
本発明は、上記事情に鑑みてなされたものであり、その目的は、セルサーチの回数を抑えつつ、効率的にアグリゲーションを行うことができる基地局装置、移動局装置、通信システム及び通信方法を提供することにある。
【課題を解決するための手段】
【００２１】
本発明は、上記課題を解決するためになされたものである。本発明の一態様による基地局装置は、移動局装置と通信を行う基地局装置であって、前記基地局装置は、同期信号生成部、データ制御部及び送信部を有し、前記同期信号生成部は、第１セル識別子に対応した同期信号を生成するものであって、前記第１セル識別子はセルを識別するセル識別子であり、前記データ制御部は、第１の送信信号及び第２の送信信号とを生成するものであって、前記第１の送信信号は、前記同期信号、第１の物理チャネル及び第１の参照信号を含み、前記第１の物理チャネル及び前記第１の参照信号は、前記第１セル識別子を用いて生成され、前記第２の送信信号は、第２の物理チャネル及び第２の参照信号を含み、かつ前記第２の物理チャネル及び前記第２の参照信号は、前記第１セル識別子とは異なる第２セル識別子を用いて生成され、前記送信部は、前記第１の送信信号と、前記第２の送信信号を送信し、前記第１の送信信号は、第１の周波数帯域を用いて送信され、前記第２の送信信号は、前記第１の周波数帯域とは異なる第２の周波数帯域を用いて送信される。
【００２３】
また、前記基地局装置の前記データ制御部は、前記第２セル識別子を示す情報を含む前記第１の送信信号を生成する。
【００２４】
また、前記第２セル識別子を示す情報は、上位層における制御情報である上位層制御情報に含まれる。
【００２５】
前記基地局装置の前記データ制御部は、前記第１の参照信号と、前記第２の参照信号とをマッピングし、前記第１の参照信号は、前記第１セル識別子から得られる位置にマッピングされ、前記第２の参照信号は、前記第２セル識別子から得られる位置にマッピングされる。
【００２７】
前記第１の物理チャネルは、前記第１セル識別子を用いてスクランブリングされ、
前記第２の物理チャネルは、前記第２セル識別子を用いてスクランブリングされる。
【００２８】
前記第１の物理チャネル及び前記第２の物理チャネルは、物理報知チャネルと物理制御チャネルと物理共用チャネルのいずれか少なくともひとつを含む。
【００２９】
また、本発明の一態様による移動局装置は、基地局装置と通信を行う移動局装置であって、前記移動局装置は、受信部を有し、前記受信部は、第１の受信信号を第１の周波数帯域を介して受信し、第２の受信信号を前記第１の周波数帯域とは異なる第２の周波数帯域を介して受信するものであって、前記第１の受信信号は、同期信号、第１の物理チャネル及び第１の参照信号を含み、前記第１の物理チャネル及び前記第１の参照信号は、第１セル識別子を用いて生成され、前記第２の受信信号は、第２の物理チャネル及び第２の参照信号を含み、かつ前記第２の物理チャネル及び前記第２の参照信号は、前記第１セル識別子とは異なる第２セル識別子を用いて生成される。
【００３１】
前記移動局装置は、データ抽出部を有し、前記データ抽出部は、前記第１の受信信号から前記第２セル識別子を示す情報を抽出する。
【００３２】
前記第２セル識別子を示す情報は、上位層における制御情報である上位層制御情報に含まれ、前記上位層制御情報から前記第２セル識別子を示す情報を取得する無線リソース制御部と、を備える。
【００３３】
前記移動局装置は、前記第１の物理チャネルと、前記第２の物理チャネルとを抽出するデータ抽出部を有し、前記データ抽出部は、前記第１の物理チャネルを前記第１セル識別子を用いて抽出し、前記第２の物理チャネルを前記第２セル識別子を用いて抽出する。
【００３４】
前記移動局装置の前記受信部は、前記第１の参照信号と、前記第２の参照信号とを抽出し、前記第１の参照信号は、前記第１セル識別子から得られる系列に基づいて抽出され、前記第２の参照信号は、前記第２セル識別子から得られる系列に基づいて抽出される。
【００３５】
前記移動局装置の前記受信部は、前記第１の参照信号と、前記第２の参照信号とを抽出し、前記第１の参照信号は、前記第１セル識別子から得られる系列に基づいて抽出され、前記第２の参照信号は、前記第２セル識別子から得られる系列に基づいて抽出される。
【００３６】
前記移動局装置の前記データ抽出部は、前記第１の物理チャネルと、前記第２の物理チャネルとをデスクランブリングし、前記第１の物理チャネルは、前記第１セル識別子を用いてデスクランブリングされ、前記第２の物理チャネルは、前記第２セル識別子を用いてデスクランブリングされる。
【００３７】
前記移動局装置は、移動局参照信号生成部と、移動局送信部を有し、前記移動局参照信号生成部は、前記第１セル識別子を用いて第３の参照信号を生成するとともに、前記第２セル識別子を用いて第４の参照信号を生成し、前記移動局送信部は、前記第３の参照信号を含む信号と、前記第４の参照信号を含む信号を送信するものであって、前記第３の参照信号を含む信号は、前記第１の周波数帯域に対応する第３の周波数帯域を用いて送信され、前記第４の参照信号を含む信号は、前記第２の周波数帯域に対応する第４の周波数帯域を用いて送信される。
【００３８】
また、本発明の一態様による無線通信システムは、移動局装置と基地局装置が通信を行う無線通信システムにおいて、前記基地局装置は、同期信号生成部、データ制御部及び送信部を有し、前記同期信号生成部は、第１セル識別子に対応した同期信号を生成するものであって、前記第１セル識別子はセルを識別するセル識別子であり、前記データ制御部は、第１の送信信号及び第２の送信信号とを生成するものであって、前記第１の送信信号は、前記同期信号、第１の物理チャネル及び第１の参照信号を含み、前記第１の物理チャネル及び前記第１の参照信号は、前記第１セル識別子を用いて生成され、前記第２の送信信号は、第２の物理チャネル及び第２の参照信号を含み、かつ前記第２の物理チャネル及び前記第２の参照信号は、前記第１セル識別子とは異なる第２セル識別子を用いて生成され、前記送信部は、前記第１の送信信号と、前記第２の送信信号を送信し、前記第１の送信信号は、第１の周波数帯域を用いて送信され、前記第２の送信信号は、前記第１の周波数帯域とは異なる第２の周波数帯域を用いて送信され、前記移動局装置は、受信部を有し、前記受信部は、第１の受信信号を前記第１の周波数帯域を介して受信するものであって、前記第１の受信信号は、前記同期信号、前期第１の物理チャネル及び前記第１の参照信号を含み前記第１の物理チャネル及び前記第１の参照信号は、前記第１セル識別子を用いて生成され、第２の受信信号を前記第２の周波数帯域を介して受信するものであって、前記第２の受信信号は、前記第２の物理チャネル及び前記第２の参照信号を含み、かつ前記第２の物理チャネル及び前記第２の参照信号は、前記第２セル識別子を用いて生成される。
【００３９】
また、本発明の一態様による無線通信方法は、移動局装置と基地局装置が通信を行う無線通信方法において、前記基地局装置は、同期信号生成ステップ、データ制御ステップ及び送信ステップを実行し、前記同期信号生成ステップは、第１セル識別子に対応した同期信号を生成するものであって、前記第１セル識別子はセルを識別するセル識別子であり、前記データ制御ステップは、第１の送信信号及び第２の送信信号とを生成するものであって、前記第１の送信信号は、前記同期信号、第１の物理チャネル及び第１の参照信号を含み、前記第１の物理チャネル及び前記第１の参照信号は、前記第１セル識別子を用いて生成され、前記第２の送信信号は、第２の物理チャネル及び第２の参照信号を含み、かつ前記第２の物理チャネル及び前記第２の参照信号は、前記第１セル識別子とは異なる第２セル識別子を用いて生成され、前記送信ステップは、前記第１の送信信号と、前記第２の送信信号を送信し、前記第１の送信信号は、第１の周波数帯域を用いて送信され、前記第２の送信信号は、前記第１の周波数帯域とは異なる第２の周波数帯域を用いて送信され、前記移動局装置は、受信ステップを実行し、前記受信ステップは、第１の受信信号を前記第１の周波数帯域を介して受信するものであって、前記第１の受信信号は、前記同期信号、前記第１の物理チャネル及び前記第１の参照信号を含み、前記第１の物理チャネル及び前記第１の参照信号は、前記第１セル識別子を用いて生成され、第２の受信信号を前記第２の周波数帯域を介して受信するものであって、前記第２の受信信号は、前記第２の物理チャネル及び前記第２の参照信号を含み、かつ前記第２の物理チャネル及び前記第２の参照信号は、前記第２セル識別子を用いて生成される。
【発明の効果】
【００４２】
本発明の基地局装置、移動局装置、通信システム及び通信方法は、セルサーチの回数を抑えつつ、効率的にアグリゲーションを行うことができる。
【図面の簡単な説明】
【００４３】
【図１】本発明の実施形態によるチャネル構成を示す図である。
【図２】本発明の実施形態による通信システムで用いる下りリンクで用いるフレーム構成を示す図である。
【図３】本発明の実施形態による通信システムで用いる上りリンクで用いるフレーム構成を示す図である。
【図４】本発明の実施形態による通信システムの下りリンクで用いる同期信号構成を示す図である。
【図５】本発明の実施形態による基地局装置１００の構成を示す概略ブロック図である。
【図６】本発明の実施形態による移動局装置２００の構成を示す概略ブロック図である。
【図７】本発明の実施形態による基地局装置１００のデータ制御部５０１、ＯＦＤＭ変調部５０２の構成を示す概略ブロック図である。
【図８】本発明の実施形態による移動局装置２００のデータ制御部６０１、ＳＣ−ＦＤＭＡ変調部６０２の構成を示す概略ブロック図である。
【図９】本発明の実施形態による無線通信システムの処理の一例を示すシーケンス図である。
【図１０】本発明の実施形態による無線通信システムの処理の他の一例を示すシーケンス図である。
【図１１】本発明の実施形態による無線通信システムの処理の他の一例を示すシーケンス図である。
【図１２】本発明の実施形態による無線通信システムの処理の他の一例を示すシーケンス図である。
【図１３】本発明の実施形態による通信システムで用いる下りリンクのフレーム構成の一例を示す図である。
【図１４】本発明の実施形態による通信システムで用いる下りリンクのフレーム構成の他の一例を示す図である。
【図１５】本発明の実施形態による通信システムで用いる下りリンクのフレーム構成の他の一例を示す図である。
【図１６】本発明の実施形態による通信システムで用いる下りリンクのフレーム構成の他の一例を示す図である。
【図１７】本発明の実施形態による通信システムで用いる下りリンクのフレーム構成の一例を示す図である。
【図１８】本発明の実施形態による通信システムで用いる下りリンクと上りリンクのフレーム構成の一例を示す図である。
【図１９】本発明の実施形態による通信システムで用いる下りリンクと上りリンクのフレーム構成の他の一例を示す図である。
【図２０】従来の無線通信システムで用いられているチャネル構成を示す図である。
【発明を実施するための形態】
【００４４】
移動局装置が同期信号を参照して物理セル識別子ＰＣＩ（Ｐｈｙｓｉｃａｌ  Ｃｅｌｌ  Ｉｄｅｎｔｉｔｙ）を取得することによりセルを識別し、セル固有のパラメータ設定を行い、かつ複数のコンポーネントキャリアＣＣ（Ｃｏｍｐｏｎｅｎｔ  Ｃａｒｒｉｅｒ）をアグリゲーションして用いるシステムにおいて、同期信号を挿入するＣＣと同期信号を挿入しないＣＣを導入する。同期信号を挿入するＣＣ（第１の周波数帯域）では同期信号を参照して取得したＰＣＩに対応したパラメータ設定を用いる。同期信号を挿入しないＣＣ（第２の周波数帯域）では仮想ＰＣＩであるＶＰＣＩ（Ｖｉｒｔｕａｌ  ＰＣＩ）に対応したパラメータ設定を用いる。ＶＰＣＩとしてＰＣＩとは異なる値を用いることが可能となるため、効率的に通信を行うことができる。以下、図面を参照して、本発明の各実施形態について説明する。
【００４５】
（第１の実施形態）
本発明の第１の実施形態について説明する。本実施形態による無線通信システムは、１つ以上の基地局装置と１つ以上の移動局装置とを備えていて、その間の無線通信を行う。図１は本実施形態に係る通信システムを示す図である。図１に示す通信システムにおいてアグリゲーションを行う場合について説明する。
【００４６】
まず、一つのコンポーネントキャリアにおける物理チャネルは図２および図３と同様のものを用いることができる。図２は下りリンクの物理チャネルを示している。物理報知チャネル（ＰＢＣＨ）は、４０ミリ秒間隔で報知情報をマッピングする。４０ミリ秒のタイミングは、ブラインド検出（ｂｌｉｎｄ  ｄｅｔｅｃｔｉｏｎあるいはｂｌｉｎｄ  ｄｅｃｏｄｉｎｇ）される。すなわち、タイミング提示のために、明示的なシグナリングを行わなくても良い。また、物理報知チャネル（ＰＢＣＨ）は、そのサブフレームだけで復号できる、すなわち自己復号可能（ｓｅｌｆ−ｄｅｃｏｄａｂｌｅ）である。
【００４７】
物理下りリンク制御チャネル（ＰＤＣＣＨ）は、下りリンク共用チャネル（ＰＤＳＣＨ）のリソース割り当て、下りリンクデータに対するハイブリッド自動再送要求（ＨＡＲＱ）情報、および、物理上りリンク共用チャネル（ＰＵＳＣＨ）のリソース割り当てである上りリンク送信許可（上りリンクグラント）を移動局装置に通知するために使用されるチャネルである。
【００４８】
物理下りリンク共用チャネル（ＰＤＳＣＨ）は、下りリンクデータ、ページング情報、または一部の報知情報を送信するために使用されるチャネルである。物理マルチキャストチャネル（ＰＭＣＨ）は、マルチキャストチャネルを送信するために利用するチャネルであり、下りリンク参照信号、上りリンク参照信号、物理下りリンク同期信号が別途配置される。
【００４９】
図３は上りリンクの物理チャネルを示している。物理上りリンク共用チャネル（ＰＵＳＣＨ）は、主に上りリンクデータを送信するために使用されるチャネルである。基地局装置１００が、移動局装置２００をスケジューリングした場合には、チャネルフィードバックレポートや下りリンク送信に対するＨＡＲＱ応答情報も物理上りリンク共用チャネル（ＰＵＳＣＨ）を使用して送信される。チャネルフィードバックレポートとは、下りリンクのチャネル品質識別子ＣＱＩ（Ｃｈａｎｎｅｌ  Ｑｕａｌｉｔｙ  Ｉｎｄｉｃａｔｏｒ）、プレコーディングマトリックス識別子ＰＭＩ（Ｐｒｅｃｏｄｉｎｇ  Ｍａｔｒｉｘ  Ｉｎｄｉｃａｔｏｒ）、ランク識別子ＲＩ（Ｒａｎｋ  Ｉｎｄｉｃａｔｏｒ）などの情報である。ＨＡＲＱ応答情報とは、肯定応答ＡＣＫ（Ａｃｋｎｏｗｌｅｄｇｅｍｅｎｔ）または否定応答ＮＡＣＫ（Ｎｅｇａｔｉｖｅ  Ａｃｋｎｏｗｌｅｄｇｅｍｅｎｔ）を示す情報である。
【００５０】
物理ランダムアクセスチャネル（ＰＲＡＣＨ）は、ランダムアクセスプリアンブルを送信するために使用されるチャネルであり、ガードタイムを持つ。物理上りリンク制御チャネル（ＰＵＣＣＨ）は、チャネルフィードバックレポート（ＣＱＩ、ＰＭＩ、ＲＩ）、スケジューリング要求ＳＲ（Ｓｃｈｅｄｕｌｉｎｇ  Ｒｅｑｕｅｓｔ）、下りリンク送信に対するＨＡＲＱ応答情報（応答情報）などを送信するために使用されるチャネルである。
【００５１】
物理制御フォーマット指示チャネル（ＰＣＦＩＣＨ）は、物理下りリンク制御チャネル（ＰＤＣＣＨ）のために使用されるＯＦＤＭシンボル数を移動局装置に通知するために利用するチャネルであり、各サブフレームで送信される。
【００５２】
物理ハイブリッド自動再送要求指示チャネル（ＰＨＩＣＨ）は、上りリンク送信に対する応答情報を送信するために利用するチャネルである。
【００５３】
次に、本発明の第１の実施形態による通信システムによるチャネルマッピングについて説明する。図２に示されるように、下りリンクでは、次のようにトランスポートチャネルと物理チャネルのマッピングが行われる。報知チャネル（ＢＣＨ）は、物理報知チャネル（ＰＢＣＨ）にマッピングされる。
【００５４】
マルチキャストチャネル（ＭＣＨ）は、物理マルチキャストチャネル（ＰＭＣＨ）にマッピングされる。ページングチャネル（ＰＣＨ）および下りリンク共用チャネル（ＤＬ−ＳＣＨ）は、物理下りリンク共用チャネル（ＰＤＳＣＨ）にマッピングされる。
【００５５】
物理下りリンク制御チャネル（ＰＤＣＣＨ）、物理ハイブリッド自動再送要求指示チャネル（ＰＨＩＣＨ）、物理制御フォーマット指示チャネル（ＰＣＦＩＣＨ）は、物理チャネル単独で使用される。
【００５６】
一方、上りリンクでは、次のようにトランスポートチャネルと物理チャネルのマッピングが行われる。上りリンク共用チャネルは、物理上りリンク共用チャネル（ＰＵＳＣＨ）にマッピングされる。
【００５７】
ランダムアクセスチャネルは、物理ランダムアクセスチャネル（ＰＲＡＣＨ）にマッピングされる。物理上りリンク制御チャネル（ＰＵＣＣＨ）は、物理チャネル単独で使用される。
【００５８】
次に、本発明の第１の実施形態による無線通信システムで用いるフレームの構成について説明する。下りリンクトランスポートチャネルの物理層での処理では、物理下りリンク共用チャネル（ＰＤＳＣＨ）に対する２４ビットの巡回冗長検査ＣＲＣ（Ｃｙｃｌｉｃ  Ｒｅｄｕｎｄａｎｃｙ  Ｃｈｅｃｋ）の付与、チャネルコーディング（伝送路符号化）、物理層ＨＡＲＱ処理、チャネルインターリービング、スクランブリング、４相位相偏移変調ＱＰＳＫ（Ｑｕａｄｒａｔｕｒｅ  Ｐｈａｓｅ  Ｓｈｉｆｔ  Ｋｅｙｉｎｇ）、直交振幅変調１６ＱＡＭ（Ｑｕａｄｒａｔｕｒｅ  Ａｍｐｌｉｔｕｄｅ  Ｍｏｄｕｌａｔｉｏｎ）、または６４ＱＡＭなどの変調、レイヤマッピング、プレコーディング、リソースマッピング、アンテナマッピングなどが行われる。
【００５９】
一方、上りリンクトランスポートチャネルの物理層での処理では、物理上りリンク共用チャネル（ＰＵＳＣＨ）に対する２４ビットの巡回冗長検査（ＣＲＣ）の付与、チャネルコーディング（伝送路符号化）、物理層ＨＡＲＱ処理、スクランブリング、変調（ＱＰＳＫ、１６ＱＡＭ、６４ＱＡＭ）、リソースマッピング、アンテナマッピングなどが行われる。
【００６０】
物理下りリンク制御チャネル（ＰＤＣＣＨ）、物理ハイブリッド自動再送要求指示チャネル（ＰＨＩＣＨ）および物理制御フォーマット指示チャネル（ＰＣＦＩＣＨ）は、最初の３ＯＦＤＭシンボル以下に配置される。
【００６１】
物理下りリンク制御チャネル（ＰＤＣＣＨ）では、下りリンク共用チャネル（ＤＬ−ＳＣＨ）およびページングチャネルに対するトランスポートフォーマット（変調方式、符号化方式、トランスポートブロックサイズなどを規定する）、リソース割り当て、ＨＡＲＱ情報が送信される。
【００６２】
また、物理下りリンク制御チャネル（ＰＤＣＣＨ）では、上りリンク共用チャネルに対するトランスポートフォーマット（変調方式、符号化方式、トランスポートブロックサイズなどを規定する）、リソース割り当て、ＨＡＲＱ情報が送信される。
【００６３】
また、複数の物理下りリンク制御チャネル（ＰＤＣＣＨ）がサポートされ、移動局装置は、物理下りリンク制御チャネル（ＰＤＣＣＨ）のセットをモニタリングする。
【００６４】
物理下りリンク制御チャネル（ＰＤＣＣＨ）で割り当てられた物理下りリンク共用チャネル（ＰＤＳＣＨ）は、物理下りリンク制御チャネル（ＰＤＣＣＨ）と同一のサブフレームにマッピングされる。
【００６５】
物理下りリンク制御チャネル（ＰＤＣＣＨ）で割り当てられた物理上りリンク共用チャネル（ＰＵＳＣＨ）は、予め定められた位置のサブフレームにマッピングされる。例えば、物理下りリンク制御チャネル（ＰＤＣＣＨ）の下りリンクサブフレーム番号がＮの場合、Ｎ＋４番の上りリンクサブフレームにマッピングされる。
【００６６】
以下では、本実施形態として、ｍ個の下りリンクＣＣ（コンポーネントキャリア）とｎ個の上りリンクＣＣとを用いて通信を行う通信システムを用いて説明する。
【００６７】
図５は、本実施形態による基地局装置１００の構成を示す概略ブロック図である。基地局装置１００は、ｍ個のデータ制御部５０１−１〜５０１−ｍ（以下では任意のデータ制御部をデータ制御部５０１と表記する）、ｍ個のＯＦＤＭ変調部５０２−１〜５０２−ｍ（以下では任意のＯＦＤＭ変調部をＯＦＤＭ変調部５０２と表記する）、ｍ個の無線送信部５０３−１〜５０３−ｍ（以下では任意の無線送信部を無線送信部５０３と表記する）、スケジューリング部５０８、ｎ個の無線受信部（基地局無線受信部）５０４−１〜５０４−ｎ（以下では任意の無線受信部を無線受信部５０４と表記する）、チャネル推定部（基地局チャネル推定部）５０５、ｎ個のＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）あるいはＤＦＴ−Ｓ−ＯＦＤＭ（ＤＦＴ−Ｓｐｒｅａｄ−ＯＦＤＭ）復調部５０６−１〜５０６−ｍ（以下では任意のＳＣ−ＦＤＭＡ復調部をＳＣ−ＦＤＭＡ復調部５０６と表記する）、ｎ個のデータ抽出部（基地局データ抽出部）５０７−１〜５０７−ｎ（以下では任意のデータ抽出部をデータ抽出部５０７と表記する）、上位層５０８を備えている。ただし、図５の各ブロックは機能ブロックを示しており、ｍ個あるいはｎ個の同一のブロックを一つの回路で実現することもできる。
【００６８】
無線受信部５０４、スケジューリング部５０８、チャネル推定部５０５、ＳＣ−ＦＤＭＡ復調部５０６、データ抽出部５０７、上位層５０９は、受信部を構成している。また、データ制御部５０１、ＯＦＤＭ変調部５０２、無線送信部５０３、スケジューリング部５０８、上位層５０９は、送信部を構成している。
【００６９】
無線送信部５０３、チャネル推定部５０５、ＳＣ−ＦＤＭＡ復調部５０６およびデータ抽出部５０７は、上りリンクの物理層の処理を行う。データ制御部５０１、ＯＦＤＭ変調部５０２および無線送信部５０３は、下りリンクの物理層の処理を行う。
【００７０】
データ制御部５０１−１〜５０１−ｍは、スケジューリング部５０８からトランスポートチャネルを取得する。データ制御部５０１−１〜５０１−ｍは、トランスポートチャネルと、スケジューリング部５０８から入力されるスケジューリング情報などを含む制御情報に基づいて、物理層で生成される信号およびチャネルを各ＣＣの物理チャネルにマッピングする。以上のようにマッピングされた各データは、ＯＦＤＭ変調部５０２−１〜５０２−ｍへ出力される。
【００７１】
ＯＦＤＭ変調部５０２−１〜５０２−ｍは、データ制御部５０１−１〜５０１−ｍから入力されたデータに対して、スケジューリング部５０８から入力されるスケジューリング情報（下りリンク物理リソースブロック（ＰＲＢ）割り当て情報（例えば、周波数、時間など物理リソースブロック位置情報）や、各下りリンク物理リソースブロック（ＰＲＢ）に対応する変調方式および符号化方式（例えば、１６ＱＡＭ変調、２／３コーディングレート）などを含む）に基づいて、逆高速フーリエ変換ＩＦＦＴ（Ｉｎｖｅｒｓｅ  Ｆａｓｔ  Ｆｏｕｒｉｅｒ  Ｔｒａｎｓｆｏｒｍ）処理、サイクリックプレフィックス（ＣＰ）の挿入、並びに、フィルタリングなどＯＦＤＭ信号処理を行い、ＯＦＤＭ信号を生成して、無線部５０３−１〜５０３−ｍへ出力する。
【００７２】
無線送信部５０３−１〜５０３−ｍは、ＯＦＤＭ変調部５０２−１〜５０２−ｍから入力された変調データを無線周波数にアップコンバートして無線信号を生成し、移動局装置２００に送信する。
【００７３】
なお、ここでは、ＣＣ毎にＯＦＤＭ信号を生成して、それぞれを無線送信部から送信する構成について説明したが、これに限るものではない。例えば、周波数間隔が狭い複数のＣＣを用いる場合などでは、複数のデータ制御部５０１の出力をまとめてＯＦＤＭ信号処理を行うことができるし、一つの無線送信処理で送信することもできる。
【００７４】
無線受信部５０４−１〜５０４−ｎは、移動局装置２００からの上りリンクの無線信号を受信し、ベースバンド信号にダウンコンバートして、受信データをチャネル推定部５０５とＳＣ−ＦＤＭＡ復調部５０６−１〜５０６−ｎとに出力する。
【００７５】
スケジューリング部５０８は、媒体アクセス制御ＭＡＣ（Ｍｅｄｉｕｍ  Ａｃｃｅｓｓ  Ｃｏｎｔｒｏｌ）層の処理を行う。スケジューリング部５０８は、論理チャネルとトランスポートチャネルのマッピング、下りリンクおよび上りリンクのスケジューリング（ＨＡＲＱ処理、トランスポートフォーマットの選択など）などを行う。スケジューリング部５０８は、各物理層の処理部を統合して制御するため、スケジューリング部５０８と、無線送信部５０３、無線受信部５０４、チャネル推定部５０５、ＳＣ−ＦＤＭＡ復調部５０６、データ制御部５０１、ＯＦＤＭ変調部５０２およびデータ抽出部５０７との間のインターフェース（図示しない）が存在する。
【００７６】
スケジューリング部５０８は、下りリンクのスケジューリングでは、移動局装置２００から受信したフィードバック情報（チャネル品質ＣＱＩ、ストリームの数ＲＩ、プレコーディング情報ＰＭＩなどの下りリンクのチャネルフィードバックレポートや、下りリンクデータに対するＡＣＫ／ＮＡＣＫフィードバック情報など）、各移動局装置の使用可能な下りリンク物理リソースブロック（ＰＲＢ）の情報、バッファ状況、上位層５０９から入力されたスケジューリング情報などに基づいて、各データを変調するための下りリンクのトランスポートフォーマット（物理リソースブロック（ＰＲＢ）の割り当ておよび変調方式および符号化方式など）の選定処理、ＨＡＲＱにおける再送制御およびＣＣ毎の下りリンクのスケジューリングに使用されるスケジューリング情報の生成を行う。これら下りリンクのスケジューリングに使用されるスケジューリング情報は、ＣＣ毎のスケジューリング情報に加工され、ＣＣ毎のスケジューリング情報を含む制御情報をデータ制御部５０１へ出力される。
【００７７】
また、スケジューリング部５０８は、上りリンクのスケジューリングでは、チャネル推定部５０５が出力する上りリンクのチャネル状態（無線伝搬路状態）の推定結果、移動局装置２００からのリソース割り当て要求、各移動局装置２００の使用可能な下りリンク物理リソースブロック（ＰＲＢ）の情報、上位層５０９から入力されたスケジューリング情報などに基づいて、各データを変調するための上りリンクのトランスポートフォーマット（物理リソースブロック（ＰＲＢ）の割り当ておよび変調方式および符号化方式など）の選定処理および上りリンクのスケジューリングに使用されるスケジューリング情報の生成を行う。これら上りリンクのスケジューリングに使用されるスケジューリング情報は、データ制御部５０１へ出力される。
【００７８】
また、スケジューリング部５０８は、上位層５０９から入力された下りリンクの論理チャネルをトランスポートチャネルにマッピングし、各ＣＣに分割して、それぞれのＣＣに対応するデータ制御部５０１へ出力する。また、スケジューリング部５０８は、ＣＣ毎のデータ抽出部５０７から入力された上りリンクで取得した制御データとトランスポートチャンネルを、必要に応じて結合などの処理をした後、上りリンクの論理チャネルにマッピングし、上位層５０９へ出力する。
【００７９】
チャネル推定部５０５は、上りリンクデータの復調のために、上りリンク復調用参照信号ＤＭＲＳ（Ｄｅｍｏｄｕｌａｔｉｏｎ  Ｒｅｆｅｒｅｎｃｅ  Ｓｉｇｎａｌ）から上りリンクのチャネル状態を推定し、その推定結果をＳＣ−ＦＤＭＡ復調部５０６に出力する。また、上りリンクのスケジューリングを行うために、上りリンク測定用参照信号ＳＲＳ（Ｓｏｕｎｄｉｎｇ  Ｒｅｆｅｒｅｎｃｅ  Ｓｉｇｎａｌ）から上りリンクのチャネル状態を推定し、その推定結果をスケジューリング部５０８に出力する。
【００８０】
なお、上りリンクの通信方式は、ＳＣ−ＦＤＭＡ等のようなシングルキャリア方式を用いて説明するが、ＯＦＤＭ方式のようなマルチキャリア方式を用いても良い。
【００８１】
ＳＣ−ＦＤＭＡ復調部５０６−１〜５０６−ｎは、チャネル推定部５０５から入力された上りリンクのチャネル状態推定結果に基づいて、無線受信部５０４−１〜５０４−ｎから入力されたＣＣ毎の信号に対し、離散フーリエ変換ＤＦＴ（Ｄｉｓｃｒｅｔｅ  Ｆｏｕｒｉｅｒ  Ｔｒａｎｓｆｏｒｍ）、サブキャリアマッピング、ＩＦＦＴ変換、フィルタリング等のＳＣ−ＦＤＭＡ信号処理を行って、復調処理を施し、データ抽出部５０７−１〜５０７−ｎに出力する。
【００８２】
データ抽出部５０７−１〜５０７−ｎは、ＳＣ−ＦＤＭＡ復調部５０６−１〜５０６−ｎから入力されたデータから、各ＣＣに分割されたトランスポートチャネルと物理層の制御データとを抽出して、スケジューリング部５０８に出力する。制御データには、移動局装置２００から通知されたフィードバック情報（下りリンクのチャネルフィードバックレポート（ＣＱＩ、ＰＭＩ、ＲＩ）、下りリンクのデータに対するＡＣＫ／ＮＡＣＫフィードバック情報）などが含まれている。
【００８３】
なお、ここでは、ＣＣ毎のＳＣ−ＦＤＭＡ信号をＳＣ−ＦＤＭＡ復調部５０６で処理する構成について説明したが、これに限るものではない。例えば、周波数間隔が狭い複数のＣＣを用いる場合などでは、複数ＣＣのＳＣ−ＦＤＭＡ信号を一つのＳＣ−ＦＤＭＡ復調部でまとめて処理を行うことができるし、一つの無線受信処理で受信することもできる。
【００８４】
上位層５０９は、パケットデータ統合プロトコルＰＤＣＰ（Ｐａｃｋｅｔ  Ｄａｔａ  Ｃｏｎｖｅｒｇｅｎｃｅ  Ｐｒｏｔｏｃｏｌ）層、無線リンク制御ＲＬＣ（Ｒａｄｉｏ  Ｌｉｎｋ  Ｃｏｎｔｒｏｌ）層、無線リソース制御ＲＲＣ（Ｒａｄｉｏ  Ｒｅｓｏｕｒｃｅ  Ｃｏｎｔｒｏｌ）層の処理を行う。上位層５０９は、下位層の処理部を統合して制御するため、上位層５０９と、スケジューリング部５０８、無線送信部５０３、無線受信部５０４、チャネル推定部５０５、ＳＣ−ＦＤＭＡ復調部５０６、データ制御部５０１、ＯＦＤＭ変調部５０２およびデータ抽出部５０７との間のインターフェース（図示しない）が存在する。
【００８５】
上位層５０９は、無線リソース制御部５１０を有している。また、無線リソース制御部５１０は、各種設定情報の管理、システム情報の管理、ページング制御、各移動局装置の通信状態の管理、ハンドオーバーなどの移動管理、移動局装置ごとのバッファ状況の管理、ユニキャストおよびマルチキャストベアラの接続設定の管理、移動局識別子（ＵＥＩＤ）の管理などとともにＣＣの管理を行っている。上位層５０９は、別の基地局装置への情報および上位ノードへの情報の授受を行う。
【００８６】
図６は、本発明の第１の実施形態による移動局装置２００の構成を示す概略ブロック図である。移動局装置２００は、ｎ個のデータ制御部（移動局データ制御部）６０１−１〜６０１−ｎ（以下では任意のデータ制御部をデータ制御部６０１と表記する）、ｎ個のＳＣ−ＦＤＭＡ（あるいはＤＦＴ−Ｓ−ＯＦＤＭ）変調部６０２−１〜６０２−ｎ（以下では任意のＳＣ−ＦＤＭＡ変調部をＳＣ−ＦＤＭＡ変調部６０２と表記する）、ｎ個の無線送信部（移動局無線送信部）６０３−１〜６０３−ｎ（以下では任意の無線送信部を無線送信部６０３と表記する）、スケジューリング部（移動局スケジューリング部）６０８、チャネル推定部６０５、ｍ個の無線受信部６０４−１〜６０４−ｍ（以下では任意の無線受信部を無線受信部６０４と表記する）、ｍ個のＯＦＤＭ復調部６０６−１〜６０６−ｍ（以下では任意のＯＦＤＭ復調部をＯＦＤＭ復調部６０６と表記する）、ｍ個のデータ抽出部６０７−１〜６０７−ｍ（以下では任意のデータ抽出部をデータ抽出部６０７と表記する）、上位層６０９を備えている。ただし、図６の各ブロックは機能ブロックを示しており、ｍ個あるいはｎ個の同一のブロックを一つの回路で実現することもできる。
【００８７】
データ制御部６０１、ＳＣ−ＦＤＭＡ変調部６０２、無線送信部６０３、スケジューリング部６０８、上位層６０９は、送信部（移動局送信部）を構成している。また、無線受信部６０４、スケジューリング部６０８、チャネル推定部６０５、ＯＦＤＭ復調部６０６、データ抽出部６０７、上位層６０９は、受信部を構成している。
【００８８】
データ制御部６０１、ＳＣ−ＦＤＭＡ変調部６０２および無線送信部６０３は、上りリンクの物理層の処理を行う。無線受信部６０４、チャネル推定部６０５、ＯＦＤＭ復調部６０６およびデータ抽出部６０７は、下りリンクの物理層の処理を行う。
【００８９】
データ制御部６０１−１〜６０１−ｎは、スケジューリング部６０８からＣＣ毎のトランスポートチャネルを取得する。データ制御部６０１−１〜６０１−ｎは、ＣＣ毎のトランスポートチャネルと、スケジューリング部６０８から入力されるスケジューリング情報を含む制御情報に基づいて物理層で生成される信号およびチャネルを、ＣＣ毎の物理チャネルにマッピングする。このようにマッピングされたＣＣ毎の各データは、ＳＣ−ＦＤＭＡ変調部６０２−１〜６０２−ｎへ出力される。
【００９０】
ＳＣ−ＦＤＭＡ変調部６０２−１〜６０２−ｎは、データ制御部６０１−１〜６０１−ｎから入力されたデータに対し、逆高速フーリエ変換（ＩＦＦＴ）処理、サイクリックプレフィックス（ＣＰ）挿入、フィルタリングなどのＳＣ−ＦＤＭＡ信号処理を行い、ＳＣ−ＦＤＭＡ信号を生成して、無線送信部６０３−１〜６０３−ｎへ出力する。
【００９１】
なお、上りリンクの通信方式は、各ＣＣおいてＳＣ−ＦＤＭＡ等のようなシングルキャリア方式を想定しているが、代わりにＯＦＤＭ方式のようなマルチキャリア方式を用いても良い。
【００９２】
無線送信部６０３−１〜６０３−ｎは、ＳＣ−ＦＤＭＡ変調部６０２−１〜６０２−ｎから入力された変調データを無線周波数にアップコンバートして無線信号を生成し、基地局装置１００に送信する。
【００９３】
なお、ここでは、ＣＣ毎にＳＣ−ＦＤＭＡ信号を生成して、それぞれを無線送信部から送信する構成について説明したが、これに限るものではない。例えば、周波数間隔が狭い複数のＣＣを用いる場合などでは、複数のデータ制御部６０１の出力をまとめてＳＣ−ＦＤＭＡ信号処理を行うことができるし、一つの無線送信処理で送信することもできる。
【００９４】
無線受信部６０４−１〜６０４−ｍは、基地局装置１００からの下りリンクのデータで変調された無線信号を受信し、ベースバンド信号にダウンコンバートして、受信データを、チャネル推定部６０５およびＯＦＤＭ復調部６０６−１〜６０６−ｍに出力する。
【００９５】
スケジューリング部６０８は、媒体アクセス制御層の処理を行う。スケジューリング部６０８は、論理チャネルとトランスポートチャネルのマッピング、下りリンクおよび上りリンクのスケジューリング（ＨＡＲＱ処理、トランスポートフォーマットの選択など）などを行う。スケジューリング部６０８は、各物理層の処理部を統合して制御するため、スケジューリング部６０８と、データ制御部６０１、ＳＣ−ＦＤＭＡ変調部６０２、チャネル推定部６０５、ＯＦＤＭ復調部６０６、データ抽出部６０７、無線送信部６０３、無線受信部６０４との間のインターフェース（図示しない）が存在する。
【００９６】
スケジューリング部６０８は、上りリンクのスケジューリングでは、上位層６０９から入力された上りリンクのバッファ状況、データ抽出部６０７から入力された基地局装置１００からのＣＣ毎の上りリンクのスケジューリング情報（トランスポートフォーマットやＨＡＲＱ再送情報など）、および、上位層６０９から入力されたスケジューリング情報などに基づいて、上位層６０９から入力された上りリンクの論理チャネルをトランスポートチャネルにマッピングするためのスケジューリング処理および上りリンクのスケジューリングに使用されるスケジューリング情報の生成を行う。
【００９７】
また、スケジューリング部６０８は、上位層６０９から入力された上りリンクの論理チャネルをトランスポートチャネルにマッピングし、各ＣＣに分割して、それぞれのＣＣに対応するデータ制御部６０１へ出力する。また、スケジューリング部６０８は、チャネル推定部６０５から入力された下りリンクのチャネルフィードバックレポート（ＣＱＩ、ＰＭＩ、ＲＩ）についても、データ制御部６０１へ出力する。
【００９８】
また、スケジューリング部６０８は、データ抽出部６０７から入力されたＣＣ毎の下りリンクで取得した制御データとトランスポートチャネルを、必要に応じて結合などの処理をした後、下りリンクの論理チャネルにマッピングし、上位層６０９へ出力する。
【００９９】
チャネル推定部５０５は、下りリンクデータの復調のために、下りリンク参照信号（ＲＳ）から下りリンクのチャネル状態を推定し、その推定結果をＯＦＤＭ復調部６０６に出力する。
【０１００】
また、チャネル推定部６０５は、基地局装置１００に下りリンクのチャネル状態（無線伝搬路状態）の推定結果を通知するために、下りリンク参照信号（ＲＳ）から下りリンクのチャネル状態を推定し、この推定結果を下りリンクのチャネルフィードバックレポート（チャネル品質情報など）に変換して、スケジューリング部６０８に出力する。
【０１０１】
ＯＦＤＭ復調部６０６−１〜６０６−ｍは、チャネル推定部６０５から入力された下りリンクのチャネル状態推定結果に基づいて、無線受信部６０４−１〜６０４−ｍから入力された変調データに対して、ＯＦＤＭ復調処理を施し、データ抽出部６０７−１〜６０７−ｍに出力する。
【０１０２】
データ抽出部６０７−１〜６０７−ｍは、ＯＦＤＭ復調部６０６−１〜６０６−ｍから入力されたデータからＣＣ毎のトランスポートチャネルと物理層の制御データに分離して、スケジューリング部６０８に出力する。分離された制御データには、下りリンクまたは上りリンクのリソース割り当てや上りリンクのＨＡＲＱ制御情報などのスケジューリング情報が含まれている。このとき、物理下りリンク制御信号（ＰＤＣＣＨ）の検索空間（検索領域ともいう）をデコード処理し、自局宛の下りリンクまたは上りリンクのリソース割り当てなどを抽出する。
【０１０３】
上位層６０９は、パケットデータ統合プロトコルＰＤＣＰ（Ｐａｃｋｅｔ  Ｄａｔａ  Ｃｏｎｖｅｒｇｅｎｃｅ  Ｐｒｏｔｏｃｏｌ）層、無線リンク制御ＲＬＣ（Ｒａｄｉｏ  Ｌｉｎｋ  Ｃｏｎｔｒｏｌ）層、無線リソース制御ＲＲＣ（Ｒａｄｉｏ  Ｒｅｓｏｕｒｃｅ  Ｃｏｎｔｒｏｌ）層の処理を行う。上位層６０９は、無線リソース制御部６１０を有している。上位層６０９は、下位層の処理部を統合して制御するため、上位層６０９と、スケジューリング部６０８、データ制御部６０１、ＳＣ−ＦＤＭＡ変調部６０２、チャネル推定部６０５、ＯＦＤＭ復調部６０６、データ抽出部６０７、無線送信部６０３、無線受信部６０４との間のインターフェース（図示しない）が存在する。
【０１０４】
無線リソース制御部６１０は、各種設定情報の管理、システム情報の管理、ページング制御、自局の通信状態の管理、ハンドオーバーなどの移動管理、バッファ状況の管理、ユニキャストおよびマルチキャストベアラの接続設定の管理、移動局識別子（ＵＥＩＤ）の管理とともにＣＣの管理を行う。
【０１０５】
次に下りリンクにおける一連の処理に関して説明する。図７は、本発明の第１の実施形態による基地局装置１００（図５）の送信部に関するデータ制御部５０１、ＯＦＤＭ変調部５０２の構成の一例を示す概略ブロック図である。
【０１０６】
データ制御部５０１は、物理マッピング部７０８、報知チャネル生成部７０１、同期信号生成部７０２、参照信号生成部７０３、物理制御フォーマット指示チャネル生成部７０４、物理ハイブリッド自動再送要求指示チャネル生成部７０５、下り制御チャネル生成部７０６、変調部７０７を備えている。また、ＣＣ毎（データ制御部毎）にＰＣＩ（あるいはＶＰＣＩ）が設定されている。
【０１０７】
報知チャネル生成部７０１は、報知制御チャネルがマッピングされたトランスポートブロックから変調シンボル系列を生成し、ＰＣＩ（あるいはＶＰＣＩ）に基づいてスクランブリングして物理報知チャネルあるいは動的報知チャネルを生成し、物理マッピング部７０８に出力する。なお、同期信号をしないＣＣ（拡張ＣＣ、サブＣＣ、ＬＴＥ−Ａ  ｏｎｌｙ  ＣＣ）に対応するデータ制御部５０１においては、物理報知チャネルあるいは動的報知チャネルを生成しなくてもよい。
【０１０８】
同期信号を挿入するＣＣ（同期ＣＣ、アンカーＣＣ、第１の周波数帯域）に対応するデータ制御部５０１において、同期信号生成部７０２はＰＣＩを参照して同期信号（プライマリ同期信号およびセカンダリ同期信号）を生成し、物理マッピング部７０８に出力する。同期信号を挿入しないＣＣ（拡張ＣＣ、サブＣＣ、第２の周波数帯域）に対応するデータ制御部５０１において、同期信号生成部７０２は同期信号を生成しない。あるいは、同期信号を挿入しないＣＣに対応するデータ制御部５０１は、同期信号生成部７０２を有しない。
【０１０９】
参照信号生成部７０３は、ＰＣＩ（あるいはＶＰＣＩ）に基づいた系列である下りリンク参照信号を生成し、物理マッピング部７０８に出力する。
【０１１０】
物理制御フォーマット指示チャネル生成部７０４は、スケジューリング情報から下り制御チャネルに要するＯＦＤＭシンボル数を取得し、取得したＯＦＤＭシンボル数に対応する系列に、ＰＣＩ（あるいはＶＰＣＩ）に基づいたスクランブリングを行って物理制御フォーマット指示チャネルを生成し、物理マッピング部７０８に出力する。
【０１１１】
物理ハイブリッド自動再送要求指示チャネル生成部７０５は、スケジューリング情報から上りリンクデータ（トランスポートブロック）に対応する応答情報（ＡＣＫ／ＮＡＣＫ）を取得し、取得した応答情報に対応する系列に、ＰＣＩ（あるいはＶＰＣＩ）に基づいたスクランブリングを行って物理制御フォーマット指示チャネルを生成し、物理マッピング部７０８に出力する。
【０１１２】
下り制御チャネル生成部は、制御情報から変調シンボル系列を生成し、ＰＣＩ（あるいはＶＰＣＩ）に基づいたスクランブリングを行って下り制御チャネルを生成し、物理マッピング部７０８に出力する。
【０１１３】
変調部７０７は、スケジューリング情報に基づき、トランスポートブロックからＱＰＳＫ変調、１６ＱＡＭ変調、または６４ＱＡＭ変調などの変調方式に基づいて変調シンボル系列を生成し、物理マッピング部７０８に出力する。
【０１１４】
物理マッピング部７０８は、スケジューリング情報とＰＣＩ（あるいはＶＰＣＩ）に基づいて、変調部７０７で処理されたトランスポートチャネルを各物理リソースブロック（ＰＲＢ）にマッピングするとともに、報知チャネル、同期信号、下りリンク参照信号、物理制御フォーマットチャネル、物理ハイブリッド自動再送要求チャネル、下り制御チャネルを物理フレームに多重する。
【０１１５】
ＣＣ毎（データ制御部毎）にＰＣＩ（あるいはＶＰＣＩ）を設定することで、通信品質の向上、送受信回路の負荷の軽減などの効果を得ることができる。例えば、下記のような効果を得ることができる。
ＣＣ毎に異なるスクランブリング系列を用いてスクランブリングを行うため、すべてのＣＣでセル間干渉が大きくなるような状況を防ぐことができ、ＣＣ間のダイバーシチ効果を得ることができる。
また、ＣＣ毎に異なるリソースエレメントを用いて制御情報および／またはデータを送信するため、すべてのＣＣでセル間干渉が大きくなるような状況を防ぐことができ、ＣＣ間のダイバーシチ効果を得ることができる。
また、ＣＣ毎に異なるリソースエレメントを用いて参照信号を送信するため、すべてのＣＣでセル間干渉が大きくなるような状況を防ぐことができ、受信側で復調の品質を向上することができる。
また、ＣＣ毎に異なるリソースエレメントを用いて参照信号を送信するため、全帯域において参照信号の配置が周期的にならず、送信信号のピーク電力を抑えることができるため、送受信装置の負荷を低減し、コストを抑えることができる。
また、隣接する複数のセルにおいて、比較的自由にＰＣＩを選択する場合であっても、すべてのＣＣで同一のパラメータが使用される確率を低くすることができ、干渉を抑圧することができる。
なお、ここでは、ＰＣＩを設定し、各ブロックが設定されたＰＣＩに応じた処理を行う場合について説明したが、これに限るものではない。例えば、ＰＣＩを設定する代わりに、上記ＰＣＩに対応する系列などを予め各ブロック内に設定しておき、それを用いてもよい。
【０１１６】
また、同期信号を挿入しないＣＣを設けることにより、通信品質の向上、送受信処理の軽減などの効果を得ることができる。例えば、下記のような効果を得ることができる。受信側において、同期処理（セルサーチ処理）の回数を低減することができる。
また、仮想ＰＣＩ取得することができる移動局装置のみが、同期信号を挿入しないＣＣを介して通信を行うことができるため、移動局装置のカテゴリによって通信に用いる帯域幅を可変とすることができ、効率的なシステム運用が可能となる。また、ＣＣ毎に移動局装置のカテゴリに合わせた、異なるサービスを行うことができる。
また、同期信号のオーバヘッドを低減することができる。また、同期信号のリソースを他の用途に用いることができる。
また、送信側において、同期信号生成処理の負荷を低減することができる。
また、同期信号を挿入するＣＣと接続する移動局の割合を増やすことができるため、同期信号を挿入するＣＣでの情報送信（報知など）を効率的に行うことができる。
【０１１７】
ＯＦＤＭ変調部５０２は、ＩＦＦＴ部７０９、ＣＰ挿入部７１０を備えている。ＩＦＦＴ部７０９は、物理マッピング７０８においてマッピングされたＣＣ毎の物理フレーム上の変調シンボル（周波数方向と時間方向の平面上に並べられた変調シンボル）を逆高速フーリエ変換（ＩＦＦＴ）して周波数領域の信号を時間領域の信号に変換し、ＣＰ挿入部７１０に出力する。
【０１１８】
ＣＰ挿入部７１０は、時間領域の信号にサイクリックプレフィックス（ＣＰ）を挿入し、ＯＦＤＭシンボル（同期ＣＣでは第１の送信信号、拡張ＣＣでは第２の送信信号）を生成し、無線送信部５０３に出力する。
【０１１９】
これに対し、移動局装置２００では、無線受信部６０４において、セル選択、セル再選択処理によって、予め信号に挿入されている同期信号を参照してサブフレーム同期を取る。その際に、プライマリ同期信号を検出し、さらにＯＦＤＭ復調部においてセカンダリ同期信号を検出する。プライマリ同期信号とセカンダリ同期信号の検出結果はスケジューリング部６０８あるいは上位層６０９に送られ、これらの同期信号に対応するＰＣＩを選択し、移動局内で同期ＣＣにおけるＰＣＩとして設定される。また、同期ＣＣ以外のＣＣにおいてもＶＰＣＩが、ＣＣ毎（データ抽出部毎）に設定される。
【０１２０】
チャネル推定部６０５は、設定されたＰＣＩ（あるいはＶＰＣＩ）に基づいて物理フレーム（同期ＣＣでは第１の受信信号、拡張ＣＣでは第２の受信信号）から下りリンク参照信号を抽出する。さらに、設定されたＰＣＩ（あるいはＶＰＣＩ）に基づいた系列を参照して、チャネル推定を行う。
【０１２１】
データ抽出部６０７は、設定されたＰＣＩ（あるいはＶＰＣＩ）を参照し、報知チャネル、下り共用チャネルからトランスポートブロックを抽出する。また、データ抽出部６０７は、設定されたＰＣＩ（あるいはＶＰＣＩ）を参照し、物理制御フォーマット指示チャネル、下り制御チャネル、物理ハイブリッド自動再送要求指示チャネルから制御データを抽出する。
【０１２２】
次に上りリンクにおける一連の処理に関して説明する。図８は、本発明の第１の実施形態による移動局装置２００（図６）の送信部に関するデータ制御部６０１、ＳＣ−ＦＤＭＡ変調部６０２の構成の一例を示す概略ブロック図である。
【０１２３】
データ制御部６０１は、参照信号生成部（移動局参照信号生成部）８０１、物理ランダムアクセスチャネル生成部８０２、上り制御チャネル生成部８０３、変調部８０４、ＤＦＴ部８０５を備えている。
【０１２４】
参照信号生成部８０１は、移動局装置内で設定されたＰＣＩ（あるいはＶＰＣＩ）に基づいた系列である下りリンク参照信号を生成し、物理マッピング部８０６に出力する。
【０１２５】
物理ランダムアクセスチャネル生成部８０２は、制御情報から所定の系列を生成し、物理マッピング部８０６に出力する。
【０１２６】
上り制御チャネル生成部は、制御情報から変調シンボル系列を生成し、移動局装置内で設定されたＰＣＩ（あるいはＶＰＣＩ）に基づいた系列を用いて上り制御チャネルを生成し、物理マッピング部８０６に出力する。
【０１２７】
変調部８０４は、スケジューリング情報に基づき、トランスポートブロックからＱＰＳＫ変調、１６ＱＡＭ変調、または６４ＱＡＭ変調などの変調方式に基づいて変調シンボル系列を生成し、ＤＦＴ部８０５に出力する。
【０１２８】
ＤＦＴ部８０５は、スケジューリング情報に基づき、変調部８０４から出力された変調シンボル系列にＤＦＴ処理を施し、物理マッピング部８０６に出力する。
【０１２９】
物理マッピング部８０６は、スケジューリング情報と移動局装置内で設定されたＰＣＩに基づいて、ＤＦＴ部８０５で処理されたトランスポートチャネルを各物理リソースブロック（ＰＲＢ）にマッピングする。この際、物理マッピング部８０６は、上りリンク参照信号、物理ランダムアクセスチャネル、上り制御チャネルを物理フレームに多重してもよい。
【０１３０】
ＳＣ−ＦＤＭＡ変調部６０２は、ＩＦＦＴ部８０７、ＣＰ挿入部８０８を備えている。ＩＦＦＴ部８０７は、物理マッピング８０６においてマッピングされたＣＣ毎の物理フレーム上の信号（周波数方向と時間方向の平面上に並べられた信号）を逆高速フーリエ変換（ＩＦＦＴ）して周波数領域の信号を時間領域の信号に変換し、ＣＰ挿入部８０８に出力する。
【０１３１】
ＣＰ挿入部８０８は、時間領域の信号にサイクリックプレフィックス（ＣＰ）を挿入し、ＳＣ−ＦＤＭＡシンボルを生成し、無線送信部６０３に出力する。
【０１３２】
これに対し、基地局装置１００のチャネル推定部５０５は、物理フレームから下りリンク参照信号を抽出し、基地局装置１００内で設定されたＰＣＩ（あるいはＶＰＣＩ）に基づいた系列を参照して、チャネル推定を行う。
【０１３３】
データ抽出部５０７は、設定されたＰＣＩ（あるいはＶＰＣＩ）を参照し、上り制御チャネル、上り共用チャネルから制御データあるいはトランスポートブロックを抽出する。
【０１３４】
次に、本実施形態に係るＣＣ毎のＰＣＩ（あるいはＶＰＣＩ）設定のシーケンスに関して説明する。図９は、本実施形態による無線通信システムの処理の一例を示すシーケンス図である。始めに、基地局装置１００は、同期ＣＣにおいてＰＣＩと対応した下りリンク同期信号を送信する（ステップＳ９０１）。
【０１３５】
移動局装置２００は、セル選択やセル再選択処理によって、基地局装置１００から送信される下りリンク同期信号を取得し、下りリンクの同期処理を行うことにより、同期ＣＣのＰＣＩを取得する（ステップＳ９０２）。この際、下りリンク同期信号が挿入されていないＣＣ（拡張ＣＣ）は検出されず、下りリンク同期信号が挿入されているＣＣ（同期ＣＣ）において、同期処理を行う。
【０１３６】
移動局装置２００は、同期ＣＣで処理を行うように（同期ＣＣで操作されるように）物理報知チャネル（ＰＢＣＨ）を取得する（ステップＳ９０３）。この際、物理報知チャネル（ＰＢＣＨ）から、同期ＣＣに関する情報、すなわち同期ＣＣのシステム帯域幅（リソースブロック数）などを示す情報を取得する。さらに、同期ＣＣで操作されるように継続する処理を行う（ステップＳ９０４）。
【０１３７】
移動局装置２００は、同期ＣＣで報知制御チャネル（ＢＣＣＨ）の受信を行う（ステップＳ９０５）。ここで、報知制御チャネルは、基地局装置１００の上位層５０９で生成され、トランスポートチャネルの一つである下りリンク共用チャネルにマッピングされ、物理層の物理下りリンク共用チャネルを介して移動局装置２００に送信される。移動局装置２００は、データ抽出部６０７で下りリンク共用チャネルを抽出し、スケジューラ部６０８から報知制御チャネルとして上位層６０９に送られる。
【０１３８】
この報知情報チャネルには、アグリゲーションリソースの領域に関する情報、すなわち拡張ＣＣのキャリア周波数やシステム帯域幅（リソースブロック数）などを示す情報とともに拡張ＣＣ毎の仮想ＰＣＩが含まれているものがある。その報知情報チャネルにより、移動局装置２００は仮想ＰＣＩを取得する（ステップＳ９０６）。このようにして、少なくとも拡張ＣＣに対応するデータ制御部５０１で参照されたＶＰＣＩを示す情報は、基地局装置１００の上位層５０９から移動局装置２００の上位層６０９に通知される。
【０１３９】
拡張ＣＣにおけるキャリア周波数やシステム帯域幅の設定と、スケジューラ部６０８において、移動局装置内の拡張ＣＣの処理におけるＰＣＩとしてＶＰＣＩを設定した後、拡張ＣＣにおいて通常の通信を行う（ステップＳ９０７）。
【０１４０】
図９に示したシーケンスでは、報知情報チャネルによって仮想ＰＣＩを報知する場合について説明したが、これに限るものではない。報知情報チャネルによって通知する情報とＰＣＩ（および／または他の報知情報や制御情報など）によりＶＰＣＩが一意に決定するようにしておくことにより、同様の効果を得ることができる。例えば、ＣＣ識別子ＣＣＩＤ（ＣＣ  Ｉｄｅｎｔｉｔｙ）とＰＣＩとからＶＰＣＩを算出する方法を予め規定しておき、基地局装置と移動局装置の間でインプリシットに共有する場合なども、同様の効果を得ることができる。ＶＰＣＩの算出方法としては、ＣＣＩＤとＰＣＩに対応するＶＰＣＩをテーブル化しておき、このテーブルを参照するような方法や、ＶＰＣＩ（ｋ）＝ｍｏｄ（（ＰＣＩ＋ＣＣＩＤ）、（ＭＰＣＩ＋１））のような数式により算出する方法を用いることができる。ここで、ｍｏｄはモジュロ関数（剰余関数）であり、ＭＰＣＩはＰＣＩが取りうる最大値である。
【０１４１】
図１０は、本実施形態による無線通信システムの処理の他の一例を示すシーケンス図である。始めに、基地局装置１００は、同期ＣＣにおいてＰＣＩと対応した下りリンク同期信号を送信する（ステップＳ１００１）。
【０１４２】
移動局装置２００は、セル選択やセル再選択処理によって、基地局装置１００から送信される下りリンク同期信号を取得し、下りリンクの同期処理を行うことにより、同期ＣＣのＰＣＩを取得する（ステップＳ１００２）。この際、下りリンク同期信号が挿入されていないＣＣ（拡張ＣＣ）は検出されず、下りリンク同期信号が挿入されているＣＣ（同期ＣＣ）において、同期処理を行う。
【０１４３】
移動局装置２００は、同期ＣＣで処理を行うように（同期ＣＣで操作されるように）物理報知チャネル（ＰＢＣＨ）を取得する（ステップＳ１００３）。この際、物理報知チャネル（ＰＢＣＨ）から、同期ＣＣに関する情報、すなわち同期ＣＣのシステム帯域幅（リソースブロック数）などを示す情報を取得する。さらに、同期ＣＣで操作されるように継続する処理を行う（ステップＳ１００４）。
【０１４４】
移動局装置２００は、同期ＣＣで報知制御チャネル（ＢＣＣＨ）の受信を行う（ステップＳ９０５）。この報知情報チャネルには、アグリゲーションリソースの領域に関する情報、すなわち拡張ＣＣのＣＣＩＤやキャリア周波数やシステム帯域幅（リソースブロック数）などを示す情報が含まれているものがある。その報知情報チャネルにより、移動局装置２００はＣＣＩＤを取得する（ステップＳ１００６）。移動局装置２００は同期ＣＣのＰＣＩとＣＣ毎のＣＣＩＤから拡張ＣＣのＶＰＣＩを取得する（ステップＳ１００７）。このようにして、少なくとも拡張ＣＣに対応するデータ制御部５０１で参照されたＶＰＣＩを示す情報は、基地局装置１００と移動局装置２００の間で共有される。
【０１４５】
拡張ＣＣにおけるキャリア周波数やシステム帯域幅の設定と、スケジューラ部６０８において、移動局装置内の拡張ＣＣの処理におけるＰＣＩとしてＶＰＣＩを設定した後、拡張ＣＣにおいて通常の通信を行う（ステップＳ１００８）。
【０１４６】
このように、本実施形態によれば、移動局装置が同期信号を参照することによってセルを識別し、セル固有のパラメータ設定を行い、かつ複数のＣＣを用いるシステムにおいて、ＣＣ毎に異なるパラメータを用いつつ、同期信号を挿入するＣＣと同期信号を挿入しないＣＣを導入し、同期信号を挿入するＣＣにおいて同期信号を挿入しないＣＣの仮想ＰＣＩを報知することで、同期信号の検出、すなわちセルサーチ回数を低減することができる。また、同期信号によるオーバヘッドを低減することができる。
【０１４７】
また、本実施形態によれば、移動局装置が同期信号を参照することによってセルを識別し、セル固有のパラメータ設定を行い、かつ複数のＣＣを用いるシステムにおいて、同期信号を挿入するＣＣと同期信号を挿入しないＣＣを導入し、同期信号を挿入するＣＣにおいて同期信号を挿入しないＣＣの仮想ＰＣＩを報知する。これにより、同期信号によるオーバヘッドを低減しながら、ＣＣ毎に異なるパラメータを用いて通信を行うことが可能となり、ＣＣ間のダイバーシチ効果を得ることができる。また、送受信回路の負荷を低減することができる。
【０１４８】
また、本実施形態によれば、任意の同期ＣＣを拡張ＣＣに変更する際に、拡張ＣＣに変更したＣＣのＶＰＣＩとして、このＣＣが同期ＣＣであった際のＰＣＩを用いることにより、変更に際して送信パラメータが変更されることなく通信を行うことができる。
【０１４９】
（第２の実施形態）
本発明の第２の実施形態について説明する。本実施形態における基地局装置および移動局装置は、第１の実施形態において説明した図５、図６、図７および図８に示した基地局装置１００および移動局装置２００と、ほぼ同様のブロック構成で実現することができる。以下、本実施形態に係るＣＣ毎のＰＣＩ設定のシーケンスに沿って、図５、図６、図７および図８において第１の実施形態と異なる点について説明する。
【０１５０】
図１１は、本実施形態による無線通信システムの処理を示すシーケンス図である。始めに、基地局装置１００は、同期ＣＣにおいてＰＣＩと対応した下りリンク同期信号を送信する（ステップ１１０１）。
【０１５１】
移動局装置２００は、セル選択やセル再選択処理によって、基地局装置１００から送信される下りリンク同期信号を取得し、下りリンクの同期処理を行うことにより、同期ＣＣのＰＣＩを取得する（ステップＳ１１０２）。この際、下りリンク同期信号が挿入されていないＣＣ（拡張ＣＣ）は検出されず、下りリンク同期信号が挿入されているＣＣ（同期ＣＣ）において、同期処理を行う。
【０１５２】
移動局装置２００は、同期ＣＣで処理を行うように（同期ＣＣで操作されるように）物理報知チャネル（ＰＢＣＨ）を取得する（ステップＳ１１０３）。この際、物理報知チャネル（ＰＢＣＨ）から、同期ＣＣに関する情報、すなわち同期ＣＣのシステム帯域幅（リソースブロック数）などを示す情報を取得する。さらに、同期ＣＣで操作されるように継続する処理を行う（ステップＳ１１０４）。
【０１５３】
移動局装置２００は、同期ＣＣで、ＲＲＣ接続確立処理を行い、通信状態（ＲＲＣ接続状態）を確立する。（ステップＳ１１０５）。このＲＲＣ接続確立処理中のＲＲＣ接続セットアップである共通制御チャネル（ＣＣＣＨ）（ＲＲＣシグナリング）や、通信中の移動局装置２００への専用制御チャネル（ＤＣＣＨ）（ＲＲＣシグナリング）は、基地局装置１００の無線リソース制御部５１０からのデータであり、トランスポートチャネルの一つである下りリンク共用チャネルにマッピングされ、物理層の物理下りリンク共用チャネルを介して移動局装置２００に送信される。移動局装置２００は、データ抽出部６０７で下りリンク共用チャネルを抽出し、スケジューラ部６０８から共通制御チャネルあるいは専用制御チャネルとして上位層６０９の無線リソース制御部６１０に送られる。
【０１５４】
このＲＲＣシグナリングには、アグリゲーションリソースの領域に関する情報、すなわち拡張ＣＣのキャリア周波数やシステム帯域幅（リソースブロック数）などを示す情報とともに拡張ＣＣ毎の仮想ＰＣＩが含まれているものがある。その報知情報チャネルにより、移動局装置２００は仮想ＰＣＩを取得する（ステップＳ１１０６）。このようにして、少なくとも拡張ＣＣに対応するデータ制御部５０１で参照されたＶＰＣＩを示す情報は、基地局装置１００の上位層５０９の無線リソース制御部５１０から移動局装置２００の上位層６０９の無線リソース制御部６１０に通知される。
【０１５５】
拡張ＣＣにおけるキャリア周波数やシステム帯域幅の設定と、スケジューラ部６０８において、移動局装置内の拡張ＣＣの処理におけるＰＣＩとしてＶＰＣＩを設定した後、拡張ＣＣにおいて通常の通信を行う（ステップＳ１１０７）。
【０１５６】
図１１に示したシーケンスでは、ＲＲＣシグナリングによって仮想ＰＣＩを報知する場合について説明したが、これに限るものではない。ＲＲＣシグナリングによって通知する情報とＰＣＩ（および／または他の報知情報や制御情報など）によりＶＰＣＩが一意に決定するようにしておくことにより、同様の効果を得ることができる。例えば、ＣＣ識別子ＣＣＩＤ（ＣＣ  Ｉｄｅｎｔｉｔｙ）とＰＣＩとからＶＰＣＩを算出する方法を予め規定しておき、基地局装置と移動局装置の間でインプリシットに共有する場合なども、同様の効果を得ることができる。ＶＰＣＩの算出方法としては、ＣＣＩＤとＰＣＩに対応するＶＰＣＩをテーブル化しておき、このテーブルを参照するような方法や、ＶＰＣＩ（ｋ）＝ｍｏｄ（（ＰＣＩ＋ＣＣＩＤ×ａ）、（ＭＰＣＩ＋１））のような数式により算出する方法を用いることができる。ここで、ｍｏｄはモジュロ関数（剰余関数）であり、ＭＰＣＩはＰＣＩが取りうる最大値である。また、ａは定数である。
【０１５７】
図１２は、本実施形態による無線通信システムの処理の他の一例を示すシーケンス図である。始めに、基地局装置１００は、同期ＣＣにおいてＰＣＩと対応した下りリンク同期信号を送信する（ステップＳ１２０１）。
【０１５８】
移動局装置２００は、セル選択やセル再選択処理によって、基地局装置１００から送信される下りリンク同期信号を取得し、下りリンクの同期処理を行うことにより、同期ＣＣのＰＣＩを取得する（ステップＳ１２０２）。この際、下りリンク同期信号が挿入されていないＣＣ（拡張ＣＣ）は検出されず、下りリンク同期信号が挿入されているＣＣ（同期ＣＣ）において、同期処理を行う。
【０１５９】
移動局装置２００は、同期ＣＣで処理を行うように（同期ＣＣで操作されるように）物理報知チャネル（ＰＢＣＨ）を取得する（ステップＳ１２０３）。この際、物理報知チャネル（ＰＢＣＨ）から、同期ＣＣに関する情報、すなわち同期ＣＣのシステム帯域幅（リソースブロック数）などを示す情報を取得する。さらに、同期ＣＣで操作されるように継続する処理を行う（ステップＳ１２０４）。
【０１６０】
移動局装置２００は、同期ＣＣで、ＲＲＣ接続確立処理を行い、通信状態（ＲＲＣ接続状態）を確立する。（ステップＳ１２０５）。このＲＲＣシグナリングには、アグリゲーションリソースの領域に関する情報、すなわち拡張ＣＣのＣＣＩＤやキャリア周波数やシステム帯域幅（リソースブロック数）などを示す情報が含まれているものがある。その報知情報チャネルにより、移動局装置２００はＣＣＩＤを取得する（ステップＳ１２０６）。移動局装置２００は同期ＣＣのＰＣＩとＣＣ毎のＣＣＩＤから拡張ＣＣのＶＰＣＩを取得する（ステップＳ１２０７）。このようにして、少なくとも拡張ＣＣに対応するデータ制御部５０１で参照されたＶＰＣＩを示す情報は、基地局装置１００と移動局装置２００の間で共有される。
【０１６１】
拡張ＣＣにおけるキャリア周波数やシステム帯域幅の設定と、スケジューラ部６０８において、移動局装置内の拡張ＣＣの処理におけるＰＣＩとしてＶＰＣＩを設定した後、拡張ＣＣにおいて通常の通信を行う（ステップＳ１２０８）。
【０１６２】
このように、本実施形態によれば、移動局装置が同期信号を参照することによってセルを識別し、セル固有のパラメータ設定を行い、かつ複数のＣＣを用いるシステムにおいて、ＣＣ毎に異なるパラメータを用いつつ、同期信号を挿入するＣＣと同期信号を挿入しないＣＣを導入し、同期信号を挿入するＣＣにおいて同期信号を挿入しないＣＣの仮想ＰＣＩを通知することで、同期信号の検出、すなわちセルサーチ回数を低減することができる。また、同期信号によるオーバヘッドを低減することができる。
【０１６３】
また、本実施形態によれば、移動局装置が同期信号を参照することによってセルを識別し、セル固有のパラメータ設定を行い、かつ複数のＣＣを用いるシステムにおいて、同期信号を挿入するＣＣと同期信号を挿入しないＣＣを導入し、同期信号を挿入するＣＣにおいて同期信号を挿入しないＣＣの仮想ＰＣＩを通知する。これにより、同期信号によるオーバヘッドを低減しながら、ＣＣ毎に異なるパラメータを用いて通信を行うことが可能となり、ＣＣ間のダイバーシチ効果を得ることができる。また、送受信回路の負荷を低減することができる。
【０１６４】
（第３の実施形態）
本発明の第３の実施形態について説明する。本実施形態では、ＣＣ毎の下りリンク参照信号に着目して説明する。なお、本実施形態における基地局装置および移動局装置は、第１の実施形態あるいは第２の実施形態において説明した図５、図６、図７および図８に示した基地局装置１００および移動局装置２００と、同様のブロック構成で実現することができる。
【０１６５】
図１３は、本実施形態に係る下りリンク物理フレームフォーマットの一例を示した図である。ＣＣ＃２は同期ＣＣであり、ＣＣ＃２の所定の帯域に物理下りリンク同期信号が挿入されている。ＣＣ＃１およびＣＣ＃３は拡張ＣＣであり、通常、物理下りリンク同期信号が挿入される帯域に物理下りリンク同期信号は挿入されていない。
【０１６６】
ＣＣ＃２の下りリンク参照信号に用いる系列は、基地局装置１００のＣＣ＃２に対応するデータ制御部５０１内の参照信号生成部７０３において、ＣＣ＃２に挿入されている物理下りリンク同期信号と対応するＰＣＩと同じＰＣＩに基づいて、所定の生成規則に従って生成する。また、ＣＣ＃２の下りリンク参照信号を配置するリソースエレメントのインデクスは、基地局装置１００のＣＣ＃２に対応するデータ制御部５０１内の物理マッピング部７０８において、ＣＣ＃２に挿入されている物理下りリンク同期信号と対応するＰＣＩと同じＰＣＩに基づいて、所定の生成規則に従って生成する。その他の同期ＣＣにおいても、同様の手順で、下りリンク参照信号に用いる系列と、配置するリソースエレメントのインデクスを生成する。
【０１６７】
移動局装置２００のＣＣ＃２に対応する無線受信部６０４およびデータ抽出部６０７においてセルサーチを行った後、スケジューリング部６０８でＣＣ＃２に挿入されている物理下りリンク同期信号と対応するＰＣＩを取得し、チャネル推定部６０５において取得したＰＣＩを設定する。チャネル推定部６０５は、設定されたＰＣＩに基づいて、所定の生成規則に従って系列を生成する。また、設定されたＰＣＩに基づいて所定の生成規則に従って、ＣＣ＃２の下りリンク参照信号を配置されたリソースエレメントのインデクスを生成し、ＣＣ＃２に対応する無線受信部６０４において受信した信号から下りリンク参照信号を抽出する。チャネル推定部６０５は、生成した系列と抽出した下りリンク参照信号を比較することにより、ＣＣ＃２におけるチャネル推定を行う。その他の同期ＣＣにおいても、同様の手順で、チャネル推定を行う。
【０１６８】
ＣＣ＃１の下りリンク参照信号に用いる系列は、基地局装置１００のＣＣ＃１に対応するデータ制御部５０１内の参照信号生成部７０３において、ＣＣ＃１におけるＶＰＣＩに基づいて、所定の生成規則に従って生成する。また、ＣＣ＃１の下りリンク参照信号を配置するリソースエレメントのインデクスは、基地局装置１００のＣＣ＃１に対応するデータ制御部５０１内の物理マッピング部７０８において、ＣＣ＃２におけるＶＰＣＩに基づいて、所定の生成規則に従って生成する。その他の拡張ＣＣにおいても、同様の手順で、下りリンク参照信号に用いる系列と、配置するリソースエレメントのインデクスを生成する。
【０１６９】
移動局装置２００のスケジューリング部６０８は、ＣＣ＃１に対応するＶＰＣＩを取得し、チャネル推定部６０５において取得したＶＰＣＩを設定する。チャネル推定部６０５は、設定されたＶＰＣＩに基づいて、所定の生成規則に従って系列を生成する。また、設定されたＶＰＣＩに基づいて所定の生成規則に従って、ＣＣ＃１の下りリンク参照信号を配置されたリソースエレメントのインデクスを生成し、ＣＣ＃１に対応する無線受信部６０４において受信した信号から下りリンク参照信号を抽出する。チャネル推定部６０５は、生成した系列と抽出した下りリンク参照信号を比較することにより、ＣＣ＃１におけるチャネル推定を行う。その他の拡張ＣＣにおいても、同様の手順で、チャネル推定を行う。
【０１７０】
下りリンク参照信号に用いる系列と配置するリソースエレメントのインデクスの生成規則は、同期ＣＣと拡張ＣＣとで異なる規則を使用することができる。簡易化の観点から、さらに好ましくは、同様の生成規則を使用する。
【０１７１】
下りリンク参照信号に用いる系列の例としては、ｓ番目のスロットのｌ番目のＯＦＤＭシンボルにおける系列ｒをＧｏｌｄ系列などの擬似乱数系列ｃとし、ｃの初期値として、ＰＣＩあるいはＶＰＣＩから算出される値を用いることにより、ＣＣ毎に異なる（同じになる場合も存在する）系列を用いることができる。
【０１７２】
このように、ＶＰＣＩを用いることにより、下りリンク同期信号を挿入するＣＣと下りリンク同期信号を挿入しないＣＣとを導入してセルサーチ回数や同期信号によるオーバヘッドを低減しつつ、ＣＣ毎に下りリンク参照信号に用いる系列を変更することができるため、セル間干渉を抑圧することができる。また、ピーク電力を低減することができる。
【０１７３】
配置するリソースエレメントのインデクスの例としては、ｓ番目のスロットのｌ番目のＯＦＤＭシンボルにおけるインデクスｋ（サブキャリア番号）にＰＣＩあるいはＶＰＣＩから算出される値をインクリメントすることにより、ＣＣ毎に異なる（同じになる場合も存在する）インデクス（サブキャリア番号）を用いることができる。
【０１７４】
このように、ＶＰＣＩを用いることにより、下りリンク同期信号を挿入するＣＣと下りリンク同期信号を挿入しないＣＣとを導入してセルサーチ回数や同期信号によるオーバヘッドを低減しつつ、ＣＣ毎に下りリンク参照信号の挿入位置を変更することができるため、セル間干渉を抑圧することができる。また、ピーク電力を低減することができる。
【０１７５】
（第４の実施形態）
本発明の第４の実施形態について説明する。本実施形態では、ＣＣ毎の物理報知チャネルに着目して説明する。なお、本実施形態における基地局装置および移動局装置は、第１の実施形態あるいは第２の実施形態において説明した図５、図６、図７および図８に示した基地局装置１００および移動局装置２００と、同様のブロック構成で実現することができる。
【０１７６】
図１４は、本実施形態に係る下りリンク物理フレームフォーマットの一例を示した図である。ＣＣ＃２は同期ＣＣであり、ＣＣ＃２の所定の帯域に物理下りリンク同期信号が挿入されている。ＣＣ＃１およびＣＣ＃３は拡張ＣＣであり、通常、物理下りリンク同期信号が挿入される帯域に物理下りリンク同期信号は挿入されていない。
【０１７７】
ＣＣ＃２の物理報知チャネルは、基地局装置１００のＣＣ＃２に対応するデータ制御部５０１内の報知チャネル生成部７０１において、報知情報チャネルをＣＣ＃２に挿入されている物理下りリンク同期信号と対応するＰＣＩと同じＰＣＩに基づいてスクランブリングして生成する。その他の同期ＣＣにおいても、同様の手順で、物理報知チャネルを生成する。
【０１７８】
移動局装置２００のＣＣ＃２に対応する無線受信部６０４およびデータ抽出部６０７においてセルサーチを行った後、スケジューリング部６０８でＣＣ＃２に挿入されている物理下りリンク同期信号と対応するＰＣＩを取得し、ＣＣ＃２に対応するデータ抽出部６０７において取得したＰＣＩを設定する。ＣＣ＃２に対応するデータ抽出部６０７は、設定されたＰＣＩに基づいて、物理報知チャネルをデスクランブリングすることにより報知情報チャネルを抽出する。その他の同期ＣＣにおいても、同様の手順で、報知情報チャネルを抽出する。
【０１７９】
ＣＣ＃１の物理報知チャネルは、基地局装置１００のＣＣ＃１に対応するデータ制御部５０１内の報知チャネル生成部７０１において、報知情報チャネルをＣＣ＃１におけるＶＰＣＩに基づいてスクランブリングして生成する。その他の拡張ＣＣにおいても、同様の手順で、物理報知チャネルを生成する。
【０１８０】
移動局装置２００のスケジューリング部６０８は、ＣＣ＃１に対応するＶＰＣＩを取得し、ＣＣ＃１に対応するデータ抽出部６０７において取得したＰＣＩを設定する。ＣＣ＃１に対応するデータ抽出部６０７は、設定されたＶＰＣＩに基づいて、物理報知チャネルをデスクランブリングすることにより報知情報チャネルを抽出する。その他の拡張ＣＣにおいても、同様の手順で、報知情報チャネルを抽出する。
【０１８１】
物理報知チャネルのスクランブリングの規則は、同期ＣＣと拡張ＣＣとで異なる規則を使用することができる。簡易化の観点から、さらに好ましくは、同様のスクランブリングの規則を使用する。スクランブリングの規則の例としては、スクランブリング後のデータｂ’をスクランブリング前のデータｂを用いて、ｂ’＝（ｂ＋ｃ）ｍｏｄ２として算出する。ただし、ｃはＧｏｌｄ系列などの擬似乱数系列であり、ｍｏｄはモジュロ演算子（剰余演算子）である。ｃの初期値として、ＰＣＩあるいはＶＰＣＩから算出される値（あるいはそのままの値）を用いることにより、ＣＣ毎に異なる（同じになる場合も存在する）スクランブリングを行うことができる。
【０１８２】
このように、ＶＰＣＩを用いることにより、下りリンク同期信号を挿入するＣＣと下りリンク同期信号を挿入しないＣＣとを導入してセルサーチ回数や同期信号によるオーバヘッドを低減しつつ、物理報知チャネルのスクランブリング方法をＣＣ毎に変更することができるため、セル間干渉を抑圧することができる。
【０１８３】
（第５の実施形態）
本発明の第５の実施形態について説明する。本実施形態では、ＣＣ毎の物理制御フォーマット指示チャネルに着目して説明する。なお、本実施形態における基地局装置および移動局装置は、第１の実施形態あるいは第２の実施形態において説明した図５、図６、図７および図８に示した基地局装置１００および移動局装置２００と、同様のブロック構成で実現することができる。
【０１８４】
図１５は、本実施形態に係る下りリンク物理フレームフォーマットの一例を示した図である。ＣＣ＃２は同期ＣＣであり、ＣＣ＃２の所定の帯域に物理下りリンク同期信号が挿入されている。ＣＣ＃１およびＣＣ＃３は拡張ＣＣであり、通常、物理下りリンク同期信号が挿入される帯域に物理下りリンク同期信号は挿入されていない。
【０１８５】
ＣＣ＃２の物理制御フォーマット指示チャネルは、基地局装置１００のＣＣ＃２に対応するデータ制御部５０１内の物理制御フォーマット指示チャネル生成部７０４において、ＣＣ＃２の物理制御フォーマットを指示する制御データ（物理下りリンク制御チャネルを配置するＯＦＤＭシンボル数を示すデータ）を、ＣＣ＃２に挿入されている物理下りリンク同期信号と対応するＰＣＩと同じＰＣＩに基づいてスクランブリングして生成する。また、ＣＣ＃２の物理制御フォーマット指示チャネルを配置するリソースエレメントのインデクスは、基地局装置１００のＣＣ＃２に対応するデータ制御部５０１内の物理マッピング部７０８において、ＣＣ＃２に挿入されている物理下りリンク同期信号と対応するＰＣＩと同じＰＣＩに基づいて、所定の生成規則に従って生成する。その他の同期ＣＣにおいても、同様の手順で、物理制御フォーマット指示チャネルをスクランブリングし、物理制御フォーマット指示チャネルを配置するリソースエレメントのインデクスを生成する。
【０１８６】
移動局装置２００のＣＣ＃２に対応する無線受信部６０４およびデータ抽出部６０７においてセルサーチを行った後、スケジューリング部６０８でＣＣ＃２に挿入されている物理下りリンク同期信号と対応するＰＣＩを取得し、ＣＣ＃２に対応するデータ抽出部６０７において取得したＰＣＩを設定する。ＣＣ＃２に対応するデータ抽出部６０７は、設定されたＰＣＩに基づいて所定の生成規則に従って、ＣＣ＃２の物理制御フォーマット指示チャネルを配置されたリソースエレメントのインデクスを生成し、ＯＦＤＭ信号から物理制御フォーマット指示チャネルを抽出する。また、設定されたＰＣＩに基づいて、物理制御フォーマット指示チャネルをデスクランブリングすることにより制御データを抽出する。その他の同期ＣＣにおいても、同様の手順で、物理制御フォーマット指示チャネルから制御データの抽出を行う。
【０１８７】
ＣＣ＃１の物理制御フォーマット指示チャネルは、基地局装置１００のＣＣ＃１に対応するデータ制御部５０１内の参照信号生成部７０３において、ＣＣ＃１の物理制御フォーマットを指示する制御データ（物理下りリンク制御チャネルを配置するＯＦＤＭシンボル数を示すデータ）を、ＣＣ＃１におけるＶＰＣＩに基づいてスクランブリングして生成する。また、ＣＣ＃１の物理制御フォーマット指示チャネルを配置するリソースエレメントのインデクスは、基地局装置１００のＣＣ＃１に対応するデータ制御部５０１内の物理マッピング部７０８において、ＣＣ＃２におけるＶＰＣＩに基づいて、所定の生成規則に従って生成する。その他の拡張ＣＣにおいても、同様の手順で、物理制御フォーマット指示チャネルをスクランブリングし、物理制御フォーマット指示チャネルを配置するリソースエレメントのインデクスを生成する。
【０１８８】
移動局装置２００のスケジューリング部６０８は、ＣＣ＃１に対応するＶＰＣＩを取得し、ＣＣ＃１に対応するデータ抽出部６０７において、取得したＶＰＣＩを設定する。ＣＣ＃１に対応するデータ抽出部６０７は、設定されたＶＰＣＩに基づいて所定の生成規則に従って、ＣＣ＃２の物理制御フォーマット指示チャネルを配置されたリソースエレメントのインデクスを生成し、ＯＦＤＭ信号から物理制御フォーマット指示チャネルを抽出する。また、設定されたＶＰＣＩに基づいて、物理制御フォーマット指示チャネルをデスクランブリングすることにより制御データを抽出する。その他の拡張ＣＣにおいても、同様の手順で、物理制御フォーマット指示チャネルから制御データの抽出を行う。
【０１８９】
物理制御フォーマット指示チャネルのスクランブリングの規則と配置するリソースエレメントのインデクスの生成規則は、同期ＣＣと拡張ＣＣとで異なる規則を使用することができる。簡易化の観点から、さらに好ましくは、同様の生成規則を使用する。スクランブリングの規則の例としては、第４の実施形態で説明したスクランブリングと同様のスクランブリングなどを用いることができる。
【０１９０】
このように、ＶＰＣＩを用いることにより、下りリンク同期信号を挿入するＣＣと下りリンク同期信号を挿入しないＣＣとを導入してセルサーチ回数や同期信号によるオーバヘッドを低減しつつ、物理制御フォーマット指示チャネルのスクランブリング方法をＣＣ毎に変更することができるため、セル間干渉を抑圧することができる。
【０１９１】
配置するリソースエレメントのインデクスの例としては、ｓ番目のスロットのｌ番目のＯＦＤＭシンボルにおけるインデクスｋ（サブキャリア番号）にＰＣＩあるいはＶＰＣＩから算出される値をインクリメントすることにより、ＣＣ毎に異なる（同じになる場合も存在する）インデクス（サブキャリア番号）を用いることができる。
【０１９２】
このように、ＶＰＣＩを用いることにより、下りリンク同期信号を挿入するＣＣと下りリンク同期信号を挿入しないＣＣとを導入してセルサーチ回数や同期信号によるオーバヘッドを低減しつつ、ＣＣ毎に物理制御フォーマット指示チャネルの挿入位置を変更することができるため、セル間干渉を抑圧することができる。
【０１９３】
（第６の実施形態）
本発明の第６の実施形態について説明する。本実施形態では、ＣＣ毎の物理ハイブリッド自動再送要求指示チャネルに着目して説明する。なお、本実施形態における基地局装置および移動局装置は、第１の実施形態あるいは第２の実施形態において説明した図５、図６、図７および図８に示した基地局装置１００および移動局装置２００と、同様のブロック構成で実現することができる。
【０１９４】
図１６は、本実施形態に係る下りリンク物理フレームフォーマットの一例を示した図である。ＣＣ＃２は同期ＣＣであり、ＣＣ＃２の所定の帯域に物理下りリンク同期信号が挿入されている。ＣＣ＃１およびＣＣ＃３は拡張ＣＣであり、通常、物理下りリンク同期信号が挿入される帯域に物理下りリンク同期信号は挿入されていない。
【０１９５】
ＣＣ＃２の物理ハイブリッド自動再送要求指示チャネルは、基地局装置１００のＣＣ＃２に対応するデータ制御部５０１内の物理ハイブリッド自動再送要求指示チャネル生成部７０５において、上りリンクの送信データに対してＣＣ＃２で応答する応答情報を、ＣＣ＃２に挿入されている物理下りリンク同期信号と対応するＰＣＩと同じＰＣＩに基づいてスクランブリングして生成する。また、ＣＣ＃２の物理ハイブリッド自動再送要求指示チャネルを配置するリソースエレメントのインデクスは、基地局装置１００のＣＣ＃２に対応するデータ制御部５０１内の物理マッピング部７０８において、ＣＣ＃２に挿入されている物理下りリンク同期信号と対応するＰＣＩと同じＰＣＩに基づいて、所定の生成規則に従って生成する。その他の同期ＣＣにおいても、同様の手順で、物理ハイブリッド自動再送要求指示チャネルをスクランブリングし、物理ハイブリッド自動再送要求指示チャネルを配置するリソースエレメントのインデクスを生成する。
【０１９６】
移動局装置２００のＣＣ＃２に対応する無線受信部６０４およびデータ抽出部６０７においてセルサーチを行った後、スケジューリング部６０８でＣＣ＃２に挿入されている物理下りリンク同期信号と対応するＰＣＩを取得し、ＣＣ＃２に対応するデータ抽出部６０７において取得したＰＣＩを設定する。ＣＣ＃２に対応するデータ抽出部６０７は、設定されたＰＣＩに基づいて所定の生成規則に従って、ＣＣ＃２の物理ハイブリッド自動再送要求指示チャネルを配置されたリソースエレメントのインデクスを生成し、ＯＦＤＭ信号から物理ハイブリッド自動再送要求指示チャネルを抽出する。また、設定されたＰＣＩに基づいて、物理ハイブリッド自動再送要求指示チャネルをデスクランブリングすることにより応答情報を抽出する。その他の同期ＣＣにおいても、同様の手順で、物理ハイブリッド自動再送要求指示チャネルから応答情報の抽出を行う。
【０１９７】
ＣＣ＃１の物理ハイブリッド自動再送要求指示チャネルは、基地局装置１００のＣＣ＃１に対応するデータ制御部５０１内の物理ハイブリッド自動再送要求指示チャネル生成部７０５において、上りリンクの送信データに対してＣＣ＃１で応答する応答情報を、ＣＣ＃１におけるＶＰＣＩに基づいてスクランブリングして生成する。また、ＣＣ＃１の物理ハイブリッド自動再送要求指示チャネルを配置するリソースエレメントのインデクスは、基地局装置１００のＣＣ＃１に対応するデータ制御部５０１内の物理マッピング部７０８において、ＣＣ＃２におけるＶＰＣＩに基づいて、所定の生成規則に従って生成する。その他の拡張ＣＣにおいても、同様の手順で、物理ハイブリッド自動再送要求指示チャネルをスクランブリングし、物理ハイブリッド自動再送要求指示チャネルを配置するリソースエレメントのインデクスを生成する。
【０１９８】
移動局装置２００のスケジューリング部６０８は、ＣＣ＃１に対応するＶＰＣＩを取得し、ＣＣ＃１に対応するデータ抽出部６０７において、取得したＶＰＣＩを設定する。ＣＣ＃１に対応するデータ抽出部６０７は、設定されたＶＰＣＩに基づいて所定の生成規則に従って、ＣＣ＃１の物理ハイブリッド自動再送要求指示チャネルを配置されたリソースエレメントのインデクスを生成し、ＯＦＤＭ信号から物理ハイブリッド自動再送要求指示チャネルを抽出する。また、設定されたＶＰＣＩに基づいて、物理ハイブリッド自動再送要求指示チャネルをデスクランブリングすることにより応答情報を抽出する。その他の拡張ＣＣにおいても、同様の手順で、物理ハイブリッド自動再送要求指示チャネルから応答情報の抽出を行う。
【０１９９】
物理ハイブリッド自動再送要求指示チャネルのスクランブリングの規則と配置するリソースエレメントのインデクスの生成規則は、同期ＣＣと拡張ＣＣとで異なる規則を使用することができる。簡易化の観点から、さらに好ましくは、同様の生成規則を使用する。スクランブリングの規則の例としては、ｓ番目のスロットのｌ番目のＯＦＤＭシンボルにおける系列ｒをＧｏｌｄ系列などの擬似乱数系列ｃとし、ｃの初期値として、ＰＣＩあるいはＶＰＣＩから算出される値を用いることにより、ＣＣ毎に異なるスクランブリング符合を生成し、応答情報に乗算する方法を用いることができる。
【０２００】
このように、ＶＰＣＩを用いることにより、下りリンク同期信号を挿入するＣＣと下りリンク同期信号を挿入しないＣＣとを導入してセルサーチ回数や同期信号によるオーバヘッドを低減しつつ、物理ハイブリッド自動再送要求指示チャネルのスクランブリング方法をＣＣ毎に変更することができるため、セル間干渉を抑圧することができる。
【０２０１】
配置するリソースエレメントのインデクスの例としては、ｓ番目のスロットのｌ番目のＯＦＤＭシンボルにおけるインデクスｋ（サブキャリア番号）にＰＣＩあるいはＶＰＣＩから算出される値をインクリメントすることにより、ＣＣ毎に異なる（同じになる場合も存在する）インデクス（サブキャリア番号）を用いることができる。
【０２０２】
このように、ＶＰＣＩを用いることにより、下りリンク同期信号を挿入するＣＣと下りリンク同期信号を挿入しないＣＣとを導入してセルサーチ回数や同期信号によるオーバヘッドを低減しつつ、ＣＣ毎に物理ハイブリッド自動再送要求指示チャネルの挿入位置を変更することができるため、セル間干渉を抑圧することができる。
【０２０３】
（第７の実施形態）
本発明の第７の実施形態について説明する。本実施形態では、ＣＣ毎の物理下りリンク制御チャネルに着目して説明する。なお、本実施形態における基地局装置および移動局装置は、第１の実施形態あるいは第２の実施形態において説明した図５、図６、図７および図８に示した基地局装置１００および移動局装置２００と、同様のブロック構成で実現することができる。
【０２０４】
図１７は、本実施形態に係る下りリンク物理フレームフォーマットの一例を示した図である。ＣＣ＃２は同期ＣＣであり、ＣＣ＃２の所定の帯域に物理下りリンク同期信号が挿入されている。ＣＣ＃１およびＣＣ＃３は拡張ＣＣであり、通常、物理下りリンク同期信号が挿入される帯域に物理下りリンク同期信号は挿入されていない。
【０２０５】
ＣＣ＃２の物理下りリンク制御チャネルは、基地局装置１００のＣＣ＃２に対応するデータ制御部５０１内の下り制御チャネル生成部７０７において、ＣＣ＃２において送信する下りリンクの制御情報を、ＣＣ＃２に挿入されている物理下りリンク同期信号と対応するＰＣＩと同じＰＣＩに基づいてスクランブリングして生成する。また、ＣＣ＃２の物理下りリンク制御チャネルに対するインタリーブパターンは、基地局装置１００のＣＣ＃２に対応するデータ制御部５０１内の物理マッピング部７０８において、ＣＣ＃２に挿入されている物理下りリンク同期信号と対応するＰＣＩと同じＰＣＩに基づいて、所定の生成規則に従って生成する。その他の同期ＣＣにおいても、同様の手順で、物理下りリンク制御チャネルをスクランブリングし、物理下りリンク制御チャネルをインタリーブしてマッピングする。
【０２０６】
移動局装置２００のＣＣ＃２に対応する無線受信部６０４およびデータ抽出部６０７においてセルサーチを行った後、スケジューリング部６０８でＣＣ＃２に挿入されている物理下りリンク同期信号と対応するＰＣＩを取得し、ＣＣ＃２に対応するデータ抽出部６０７において取得したＰＣＩを設定する。ＣＣ＃２に対応するデータ抽出部６０７は、設定されたＰＣＩに基づいて所定の生成規則に従って、ＣＣ＃２の物理下りリンク制御チャネルのインタリーブパターンを生成してデインタリーブし、ＯＦＤＭ信号から物理下りリンク制御チャネルを抽出する。また、設定されたＰＣＩに基づいて、物理下りリンク制御チャネルをデスクランブリングすることにより応答情報を抽出する。その他の同期ＣＣにおいても、同様の手順で、物理下りリンク制御チャネルから下りリンクの制御情報の抽出を行う。
【０２０７】
ＣＣ＃１の物理下りリンク制御チャネルは、基地局装置１００のＣＣ＃１に対応するデータ制御部５０１内の下り制御チャネル生成部７０６において、ＣＣ＃１において送信する下りリンクの制御情報を、ＣＣ＃１におけるＶＰＣＩに基づいてスクランブリングして生成する。また、ＣＣ＃１に対する物理下りリンク制御チャネルのインタリーブパターンは、基地局装置１００のＣＣ＃１に対応するデータ制御部５０１内の物理マッピング部７０８において、ＣＣ＃２におけるＶＰＣＩに基づいて、所定の生成規則に従って生成する。その他の拡張ＣＣにおいても、同様の手順で、物理下りリンク制御チャネルをスクランブリングし、物理下りリンク制御チャネルをインタリーブしてマッピングする。
【０２０８】
移動局装置２００のスケジューリング部６０８は、ＣＣ＃１に対応するＶＰＣＩを取得し、ＣＣ＃１に対応するデータ抽出部６０７において、取得したＶＰＣＩを設定する。ＣＣ＃１に対応するデータ抽出部６０７は、設定されたＶＰＣＩに基づいて所定の生成規則に従って、ＣＣ＃１の物理下りリンク制御チャネルのインタリーブパターンを生成してデインタリーブし、ＯＦＤＭ信号から物理下りリンク制御チャネルを抽出する。また、設定されたＶＰＣＩに基づいて、物理下りリンク制御チャネルをデスクランブリングすることにより下りリンクの制御情報を抽出する。その他の拡張ＣＣにおいても、同様の手順で、物理下りリンク制御チャネルから下りリンクの制御情報の抽出を行う。
【０２０９】
物理下りリンク制御チャネルのスクランブリングの規則と配置するリソースエレメントのインデクスの生成規則は、同期ＣＣと拡張ＣＣとで異なる規則を使用することができる。簡易化の観点から、さらに好ましくは、同様の生成規則を使用する。スクランブリングの規則の例としては、第４の実施形態で説明したスクランブリングと同様のスクランブリングなどを用いることができる。
【０２１０】
このように、ＶＰＣＩを用いることにより、下りリンク同期信号を挿入するＣＣと下りリンク同期信号を挿入しないＣＣとを導入してセルサーチ回数や同期信号によるオーバヘッドを低減しつつ、物理下りリンク制御チャネルのスクランブリング方法をＣＣ毎に変更することができるため、セル間干渉を抑圧することができる。
【０２１１】
インタリーブパターンの例としては、所定のインタリーブパターンに、ＰＣＩあるいはＶＰＣＩから算出される値のサイクリックシフトを与えるにより、ＣＣ毎に異なるインタリーブパターンを用いることができる。
【０２１２】
このように、ＶＰＣＩを用いることにより、下りリンク同期信号を挿入するＣＣと下りリンク同期信号を挿入しないＣＣとを導入してセルサーチ回数や同期信号によるオーバヘッドを低減しつつ、ＣＣ毎に物理下りリンク制御チャネルのインタリーブパターンを変更することができるため、セル間干渉を抑圧することができる。
【０２１３】
（第８の実施形態）
本発明の第８の実施形態について説明する。本実施形態では、ＣＣ毎の物理上りリンク制御チャネルに着目して説明する。なお、本実施形態における基地局装置および移動局装置は、第１の実施形態あるいは第２の実施形態において説明した図５、図６、図７および図８に示した基地局装置１００および移動局装置２００と、同様のブロック構成で実現することができる。
【０２１４】
図１８は、本実施形態に係る下りリンク物理フレームフォーマットおよび上りリンク物理フレームフォーマットの一例を示した図である。ＣＣ＃２は下りリンクの同期ＣＣであり、ＣＣ＃２の所定の帯域に物理下りリンク同期信号が挿入されている。ＣＣ＃１およびＣＣ＃３は下りリンクの拡張ＣＣであり、通常、物理下りリンク同期信号が挿入される帯域に物理下りリンク同期信号は挿入されていない。
【０２１５】
一方、ＣＣ＃２’は上りリンクの同期ＣＣであり、下りリンクのＣＣ＃２に対応する上りリンクのＣＣである。ＣＣ＃１’およびＣＣ＃３’は上りリンクの拡張ＣＣであり、それぞれ下りリンクのＣＣ＃１およびＣＣ＃３に対応する上りリンクのＣＣである。基地局装置１００のＣＣ＃２では、ＰＣＩに対応した物理下りリンク同期信号が挿入されている。
【０２１６】
移動局装置２００では、ＣＣ＃２に対応する無線受信部６０４およびデータ抽出部６０７においてセルサーチを行った後、スケジューリング部６０８でＣＣ＃２に挿入されている物理下りリンク同期信号と対応するＰＣＩを取得し、ＣＣ＃２に対応するデータ抽出部６０７において、取得したＰＣＩを設定するとともに、ＣＣ＃２に対応する上りリンクのＣＣであるＣＣ＃２’に対応するデータ制御部６０１において、取得したＰＣＩを設定する。取得したＰＣＩが設定されたデータ制御部６０１内の上り制御チャネル生成部８０３では、上りリンクの制御情報を、設定されたＰＣＩに基づいてスクランブリングして上りリンク制御チャネルを生成する。また、取得したＰＣＩが設定されたデータ制御部６０１内の物理マッピング部８０６では、設定されたＰＣＩに基づいて、所定の生成規則に従ってサイクリックシフト量を差出し、上りリンク制御チャネルをサイクリックシフト量に対応したリソースにマッピングする。
【０２１７】
基地局装置１００では、スケジューリング部６０８の指示で、ＣＣ＃２に挿入されている物理下りリンク同期信号と対応するＰＣＩを、ＣＣ＃２に対応する上りリンクのＣＣであるＣＣ＃２’に対応するデータ抽出部６０７で設定する。ＰＣＩが設定されたデータ抽出部６０７では、設定されたＰＣＩに基づいたリソースを特定し、ＳＣ−ＦＤＭＡ信号から物理上りリンク制御チャネルを抽出する。また、設定されたＰＣＩに基づいてデスクランブリングして上りリンクの制御情報を取得する。その他の下りの同期ＣＣに対応する上りのＣＣにおいても、同様の手順で、物理上りリンク制御チャネルの送受信を行う。
【０２１８】
移動局装置２００では、スケジューリング部６０８においてＣＣ＃１におけるＶＰＣＩを取得した後、ＣＣ＃１に対応するデータ抽出部６０７において、取得したＰＣＩを設定するとともに、ＣＣ＃１に対応する上りリンクのＣＣであるＣＣ＃１’に対応するデータ制御部６０１において、取得したＶＰＣＩを設定する。取得したＶＰＣＩが設定されたデータ制御部６０１内の上り制御チャネル生成部８０３では、上りリンクの制御情報を、設定されたＶＰＣＩに基づいてスクランブリングして上りリンク制御チャネルを生成する。また、取得したＶＰＣＩが設定されたデータ制御部６０１内の物理マッピング部８０６では、設定されたＶＰＣＩに基づいて、所定の生成規則に従ってサイクリックシフト量を差出し、上りリンク制御チャネルをサイクリックシフト量に対応したリソースにマッピングする。
【０２１９】
基地局装置１００では、移動局装置２００に通知したＣＣ＃１のＶＰＣＩを、ＣＣ＃１に対応する上りリンクのＣＣであるＣＣ＃１’に対応するデータ抽出部６０７で設定する。ＶＰＣＩが設定されたデータ抽出部６０７では、設定されたＶＰＣＩに基づいたホッピングパターンを生成し、スロットホッピングされたＳＣ−ＦＤＭＡ信号から物理上りリンク制御チャネルを抽出する。また、設定されたＶＰＣＩに基づいてデスクランブリングして上りリンクの制御情報を取得する。その他の下りの拡張ＣＣに対応する上りのＣＣにおいても、同様の手順で、物理上りリンク制御チャネルの送受信を行う。
【０２２０】
物理下りリンク制御チャネルのスクランブリングの規則と配置するリソースエレメントのインデクスの生成規則は、同期ＣＣと拡張ＣＣとで異なる規則を使用することができる。簡易化の観点から、さらに好ましくは、同様の生成規則を使用する。スクランブリングの規則の例としては、第４の実施形態で説明したスクランブリングと同様のスクランブリングなどを用いることができる。
【０２２１】
このように、ＶＰＣＩを用いることにより、下りリンク同期信号を挿入するＣＣと下りリンク同期信号を挿入しないＣＣとを導入してセルサーチ回数や同期信号によるオーバヘッドを低減しつつ、物理下りリンク制御チャネルのスクランブリング方法をＣＣ毎に変更することができるため、セル間干渉を抑圧することができる。
【０２２２】
（第９の実施形態）
本発明の第９の実施形態について説明する。本実施形態では、ＣＣ毎の上りリンク参照信号に着目して説明する。なお、本実施形態における基地局装置および移動局装置は、第１の実施形態あるいは第２の実施形態において説明した図５、図６、図７および図８に示した基地局装置１００および移動局装置２００と、同様のブロック構成で実現することができる。
【０２２３】
図１９は、本実施形態に係る下りリンク物理フレームフォーマットおよび上りリンク物理フレームフォーマットの一例を示した図である。ＣＣ＃２は下りリンクの同期ＣＣであり、ＣＣ＃２の所定の帯域に物理下りリンク同期信号が挿入されている。ＣＣ＃１およびＣＣ＃３は下りリンクの拡張ＣＣであり、通常、物理下りリンク同期信号が挿入される帯域に物理下りリンク同期信号は挿入されていない。
【０２２４】
一方、ＣＣ＃２’は上りリンクの同期ＣＣであり、下りリンクのＣＣ＃２に対応する上りリンクのＣＣである。ＣＣ＃１’およびＣＣ＃３’は上りリンクの拡張ＣＣであり、それぞれ下りリンクのＣＣ＃１およびＣＣ＃３に対応する上りリンクのＣＣである。基地局装置１００のＣＣ＃２では、ＰＣＩに対応した物理下りリンク同期信号が挿入されている。
【０２２５】
移動局装置２００では、ＣＣ＃２に対応する無線受信部６０４およびデータ抽出部６０７においてセルサーチを行った後、スケジューリング部６０８でＣＣ＃２に挿入されている物理下りリンク同期信号と対応するＰＣＩを取得し、ＣＣ＃２に対応するデータ抽出部６０７において、取得したＰＣＩを設定するとともに、ＣＣ＃２に対応する上りリンクのＣＣであるＣＣ＃２’に対応するデータ制御部６０１において、取得したＰＣＩを設定する。取得したＰＣＩが設定されたデータ制御部６０１内の参照信号生成部８０１では、設定されたＰＣＩに基づいて、所定の生成規則で参照信号系列を生成する。また、取得したＰＣＩが設定されたデータ制御部６０１内の物理マッピング部８０６では、設定されたＰＣＩに基づいて、所定の生成規則に従ってサイクリックシフト量を差出し、上りリンク参照信号をサイクリックシフト量に対応したリソースにマッピングする。
【０２２６】
基地局装置１００では、スケジューリング部６０８の指示で、ＣＣ＃２に挿入されている物理下りリンク同期信号と対応するＰＣＩを、チャネル推定部５０５で設定する。チャネル推定部５０５では、設定されたＰＣＩに基づいたサイクリックシフト量に対応したリソースを特定し、スロットホッピングされたＳＣ−ＦＤＭＡ信号から受信した上りリンク参照信号を抽出する。また、設定されたＰＣＩに基づいて所定の生成規則で系列を生成し、生成した系列と、受信した上りリンク参照信号とからチャネル推定を行う。その他の下りの同期ＣＣに対応する上りのＣＣにおいても、同様の手順で、チャネル推定を行う。
【０２２７】
移動局装置２００では、スケジューリング部６０８では、ＣＣ＃１おけるＶＰＣＩを取得した後、ＣＣ＃１に対応するデータ抽出部６０７において、取得したＶＰＣＩを設定するとともに、ＣＣ＃１に対応する上りリンクのＣＣであるＣＣ＃１’に対応するデータ制御部６０１において、取得したＶＰＣＩを設定する。取得したＶＰＣＩが設定されたデータ制御部６０１内の参照信号生成部８０１では、設定されたＶＰＣＩに基づいて、所定の生成規則で参照信号系列を生成する。また、取得したＶＰＣＩが設定されたデータ制御部６０１内の物理マッピング部８０６では、設定されたＶＰＣＩに基づいて、所定の生成規則に従ってサイクリックシフト量を差出し、上りリンク参照信号をサイクリックシフト量に対応したリソースにマッピングする。
【０２２８】
基地局装置１００では、スケジューリング部６０８の指示で、移動局装置２００に通知したＣＣ＃２におけるＶＰＣＩを、チャネル推定部５０５で設定する。チャネル推定部５０５では、設定されたＶＰＣＩに基づいたサイクリックシフト量に対応したリソースを特定し、スロットホッピングされたＳＣ−ＦＤＭＡ信号から受信した上りリンク参照信号を抽出する。また、設定されたＶＰＣＩに基づいて所定の生成規則で系列を生成し、生成した系列と、受信した上りリンク参照信号とからチャネル推定を行う。その他の下りの拡張ＣＣに対応する上りのＣＣにおいても、同様の手順で、チャネル推定を行う。
【０２２９】
上り参照信号の系列の生成規則とリソースを指定するサイクリックシフト量の算出規則は、同期ＣＣと拡張ＣＣとで異なる規則を使用することができる。簡易化の観点から、さらに好ましくは、同様の生成規則を使用する。
【０２３０】
このように、ＶＰＣＩを用いることにより、下りリンク同期信号を挿入するＣＣと下りリンク同期信号を挿入しないＣＣとを導入してセルサーチ回数や同期信号によるオーバヘッドを低減しつつ、上りリンク参照信号の系列をＣＣ毎に変更することができ、また、異なるリソースを用いて送信することができるため、セル間干渉を抑圧することができる。
【０２３１】
上記のそれぞれの実施形態においては、説明の都合上、下りリンクのＣＣと上りリンクのＣＣの数が等しく、それぞれ一対一対応している場合について説明したが、これに限るものではない。例えば、上りリンクのＣＣの数が下りリンクのＣＣの数より少なく、複数の下りリンクのＣＣに対して一つの上りリンクのＣＣが対応するような場合、複数の下りリンクのＣＣのうちの一つのＣＣに同期チャネルを挿入し、上りリンクのＣＣのパラメータ設定では、同期チャネルを挿入したＣＣのＰＣＩを用いるなど、下りリンクに関するパラメータ設定と上りリンクに関するパラメータ設定とに対して、個別のＰＣＩ（あるいはＶＰＣＩ）を用いれば、同様の効果を得ることができる。
【０２３２】
上記のそれぞれの実施形態においては、説明の都合上、各チャネルや各信号およびフレームフォーマットの具体例を挙げて説明したが、その他のチャネルや信号に適用しても良いし、異なるフレームフォーマットを用いても良い。
【０２３３】
上記のそれぞれの実施形態においては、説明の都合上、基地局装置と移動局装置とが一対一の場合を例にとって説明したが、基地局装置および移動局装置は複数であっても良い。また、移動局装置とは、移動する端末に限らず、基地局装置や固定端末に移動局装置の機能を実装することなどにより実現しても良い。
【０２３４】
また、以上説明したそれぞれの実施形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行っても良い。なお、ここでいう「コンピュータシステム」とは、ＯＳや周辺機器等のハードウェアを含むものとする。
【０２３５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【０２３６】
以上、この発明の実施形態について図面を参照して詳述してきたが、具体的な構成はこの実施形態に限られるものではなく、この発明の要旨を逸脱しない範囲の設計等も特許請求の範囲に含まれる。
【産業上の利用可能性】
【０２３７】
本発明は、携帯電話端末を移動局装置とする携帯電話システムに用いて好適であるが、これに限定されない。
【符号の説明】
【０２３８】
１００、１００’    基地局装置
２００、２００ａ、２００ｂ、２００ｃ、２００、２００ａ’、２００ｂ’、２００ｃ’    移動局装置
５０１、５０１−１〜５０１−ｍ、６０１、６０１−１〜６０１−ｎ    データ制御部
５０２、５０２−１〜５０２−ｍ    ＯＦＤＭ変調部
５０３、５０３−１〜５０３−ｍ、６０３、６０３−１〜６０３−ｎ    無線送信部
５０４、５０４−１〜５０４−ｎ、６０４、６０４−１〜６０４−ｍ    無線受信部
５０５、６０５    チャネル推定部
５０６、５０６−１〜５０６−ｎ    ＳＣ−ＦＤＭＡ復調部
５０７、５０７−１〜５０７−ｎ、６０７、６０７−１〜６０７−ｍ    データ抽出部
５０８、６０８    スケジューリング部
５０９、６０９    上位層
５１０、６１０    無線リソース制御部
６０２、６０２−１〜６０２−ｎ    ＳＣ−ＦＤＭＡ変調部
６０７、６０７−１〜６０７−ｍ    ＯＦＤＭ復調部
７０１    報知チャネル生成部
７０２    同期信号生成部
７０３、８０１    参照信号生成部
７０４    物理制御フォーマット指示チャネル生成部
７０５    物理ハイブリッド自動再送要求指示チャネル生成部
７０６    下り制御チャネル生成部 
７０７、８０４    変調部
７０８、８０６    物理マッピング部
７０９、８０７    ＩＦＦＴ部
７１０、８０８    ＣＰ付加部
８０２    物理ランダムアクセスチャネル生成部
８０３    上り制御チャネル生成部
８０５    ＤＦＴ生成部
【図１】
0005477793.tif 000002
【図２】
0005477793.tif 000003
【図３】
0005477793.tif 000004
【図４】
0005477793.tif 000005
【図５】
0005477793.tif 000006
【図６】
0005477793.tif 000007
【図７】
0005477793.tif 000008
【図８】
0005477793.tif 000009
【図９】
0005477793.tif 000010
【図１０】
0005477793.tif 000011
【図１１】
0005477793.tif 000012
【図１２】
0005477793.tif 000013
【図１３】
0005477793.tif 000014
【図１４】
0005477793.tif 000015
【図１５】
0005477793.tif 000016
【図１６】
0005477793.tif 000017
【図１７】
0005477793.tif 000018
【図１８】
0005477793.tif 000019
【図１９】
0005477793.tif 000020
【図２０】
0005477793.tif 000021